(57)【要約】  生長ミズゴケと水とを接触させることにより当該水を浄化する、水の浄化手段、特に、１個以上の「定形化されている乾燥ミズゴケの集合物に対して、まとまった状態の生長ミズゴケの茎部の１単位以上が、その乾燥ミズゴケの集合物に接触しており、かつ、前記の生長ミズゴケの生長点が、前記の乾燥ミズゴケの集合物から実質的に露出してなる、ミズゴケの栽培基」における乾燥ミズゴケの集合物が吸収した水と生長ミズゴケの茎部との接触により当該水を浄化する、水の浄化手段を提供する。【特許請求の範囲】
【請求項１】
生長ミズゴケと水とを接触させることにより当該水を浄化する、水の浄化方法。
【請求項２】
生長ミズゴケと水との接触が間接的な接触である、請求項１記載の水の浄化方法。
【請求項３】
生長ミズゴケと水との間接的な接触が、生長ミズゴケと水との間に乾燥ミズゴケを介在させて、当該乾燥ミズゴケが吸収した水と、生長ミズゴケとを接触させることにより行われる、請求項２記載の水の浄化方法。
【請求項４】
生長ミズゴケと水との間接的な接触が、１個以上の「定形化されている乾燥ミズゴケの集合物に対して、まとまった状態の生長ミズゴケの茎部の１単位以上が、その乾燥ミズゴケの集合物に接触しており、かつ、前記の生長ミズゴケの生長点が、前記の乾燥ミズゴケの集合物から実質的に露出してなる、ミズゴケの栽培基」における乾燥ミズゴケの集合物が吸収した水と生長ミズゴケの茎部により行われる、請求項３記載の水の浄化方法。
【請求項５】
乾燥ミズゴケの集合物が、少なくとも紙繊維を含有する繋ぎ成分で定形化されている、請求項４記載の水の浄化方法。
【請求項６】
定形化されている乾燥ミズゴケの集合物に凹部が設けられており、この凹部において、まとまった状態の生長ミズゴケの茎部の１単位以上が圧縮された状態で嵌め込まれ、かつ、この生長ミズゴケの生長点が、前記乾燥ミズゴケの集合物の凹部において実質的に露出している、請求項４または５記載の水の浄化方法。
【請求項７】
乾燥ミズゴケの集合物が、器物の凹部にはめ込まれることによって定形化されている、請求項４または５に記載の水の浄化方法。
【請求項８】
器物の凹部が、この器物を貫通する貫通口である、請求項７記載の水の浄化方法。
【請求項９】
定形化された乾燥ミズゴケの集合物が、栽培基の底部において実質的に露出している、請求項７または８に記載の水の浄化方法。
【請求項１０】
浄化対象の水と、まとまった状態の乾燥ミズゴケの集合物との接触が、ミズゴケ栽培基を、浄化対象の水が存在する場において、浮力により水面近傍に浮上させることが可能な機構により行われる、請求項１〜９のいずれかに記載の水の浄化方法。
【請求項１１】
浄化対象の水と、まとまった状態の乾燥ミズゴケの集合物との接触が、ミズゴケ栽培基を、浄化対象の水が存在する場の底部よりも上に配置することが可能な機構による配置により行われる、請求項１〜９のいずれかに記載の水の浄化方法。
【請求項１２】
浄化対象の水と、まとまった状態の乾燥ミズゴケの集合物との接触が、浄化対象の水が存在する場におけるミズゴケ栽培基の載置により行われる、請求項１〜９のいずれかに記載の水の浄化方法。
【請求項１３】
浄化対象の水が、河川水、湖沼水、下水、中水、または、地下水である、請求項１〜１２のいずれかに記載の水の浄化方法。
【請求項１４】
水の浄化が、浄化対象の水におけるリン酸イオンの除去による水の浄化である、請求項１〜１３のいずれかに記載の水の浄化方法。
【請求項１５】
浄化処理対象水を、「浄化処理部」に導入することが可能な「水導入機構」と、浄化処理後の前記浄化処理対象水を外部に排出することが可能な「水排出機構」が設けられており；
前記浄化処理部には、１個以上の「定形化されている乾燥ミズゴケの集合物に対して、まとまった状態の生長ミズゴケの茎部の１単位以上が、その乾燥ミズゴケの集合物に接触しており、かつ、前記の生長ミズゴケの生長点が、前記の乾燥ミズゴケの集合物から実質的に露出してなる、ミズゴケの栽培基」が、当該浄化処理部における浄化対象水上における浮上、当該浄化処理部の底部よりも上に前記生長ミズゴケの栽培基を配置することが可能な機構による配置、または、当該浄化処理部内における載置、により、前記生長ミズゴケの栽培基における乾燥ミズゴケの集合物が、前記「水導入機構」から導入される浄化対象水と接触して吸水することが可能となっており；
当該乾燥ミズゴケに吸水された浄化対象水が、前記生長ミズゴケ栽培基の生長ミズゴケに接触して、浄化対象水の中の浄化対象物質が当該生長ミズゴケにより同化されることにより浄化される浄化処理水を、前記「水排出機構」から排出することを特徴とする、請求項１〜１４のいずれかに記載の水の浄化方法を行うための水浄化システム。
【請求項１６】
「浄化処理部」に浄化処理対象水を循環させるための水循環機構が設けられている、請求項１５記載の水浄化システム。
【請求項１７】
水循環機構が、水路において水を循環させる機構であり、かつ、当該水路において「定形化されている乾燥ミズゴケの集合物に対して、まとまった状態の生長ミズゴケの茎部の１単位以上が、その乾燥ミズゴケの集合物に接触しており、かつ、前記の生長ミズゴケの生長点が、前記の乾燥ミズゴケの集合物から実質的に露出してなる、ミズゴケの栽培基」の乾燥ミズゴケの集合物に浄化対象水に接触させることが可能である、請求項１６記載の水浄化システム。
【請求項１８】
前記水路が閉じられた水路である、請求項１７記載の水浄化システム。
【請求項１９】
複数の「浄化処理部」が設けられ、かつ、上流の「浄化処理部」に設けられている「水排出機構」と、下流の「浄化処理部」に設けられている「水導入機構」が、水流通可能な機構により連結されており、上流の「浄化処理部」において浄化された浄化対象水が、下流の「浄化処理部」において、再び浄化対象水として浄化処理が施され、このような多段的浄化処理が、設けられた各「浄化処理部」において行われ、最下流の「浄化処理部」の「水排出機構」から排出される水を、浄化処理水とする、請求項１５〜１８のいずれかに記載の水浄化システム。
【請求項２０】
上記水浄化システムにおいて、浄化対象水または浄化処理水を、他の水浄化手段により浄化処理する機構が設けられている、請求項１５〜１９のいずれかに記載の水浄化システム。
【請求項２１】
前記水浄化システムが、「浄化対象水または浄化処理水を、他の水浄化手段により浄化する機構」の上方に設けられている、請求項２０記載の水浄化システム。
【発明の詳細な説明】
【技術分野】
【０００１】
本発明は、水、具体的には、汚染物質を含有し得る水の浄化手段に関する発明である。
【背景技術】
【０００２】
環境汚染が人体に悪影響を与えることは確実であり、近年は、環境修復の必要性が認識されつつあり、さらに、厳格な環境基準が、大気や水質に対して設けられている。【０００３】
しかしながら、環境汚染の中でも、水の汚染による人体への影響は、その解決にかなりの時間を要し、例えば、日本における１９７０年代の水質汚染は、かなり激甚であって、その除去に苦慮しているのが実情である。【０００４】
水質汚染の一つの態様として、「富栄養化」という問題が挙げられる。富栄養化は、本来、水系にリンや窒素などの栄養塩が豊富になり、これを基にして植物プランクトン等が繁殖し、動物プランクトンや魚介類が豊かになる現象を意味するものである。しかしながら、栄養塩の負荷が過剰になると、有機物生産が過剰になって水中や底にたまり、その結果、水質や底質が悪化し、生物相が単調となって、悪質な赤潮が発生するようになる。さらに進行すると、細菌と原生動物だけが活動する腐水状態となる。生活排水や産業排水が流入し、しかも、水が停滞しやすい水域では栄養塩が過剰になりやすいことが知られている。このように、水系の富栄養化の原因となる塩類のうち、窒素とリンは重大であり、水質の規制の対象にもなっている。また、これらの栄養塩の効果的な除去手段の提供が産業界で待たれている。
【発明の開示】
【０００５】
今般、本発明者らは、ミズゴケにこの富栄養化を解決する鍵があるのではないかと直感し、ミズゴケの水質に対する浄化能と、これを用いた具体的水質浄化手段についての検討を行った。
【０００６】
その結果、ミズゴケには、優れた水質浄化効果、特に、卓越したリンの除去効果があることが判明した。
【０００７】
リンは、岩石の風化や農地からの肥料成分の流出などによって、河川水に入り、リン酸イオン[PO43- ]として存在することが知られているが、上述したように、近年は、人間活動による陸域からの水域へのリンの移動が加速したため、河川域、湖、池などではリンが除去できずに水質が汚染されていることが多い。現状では、リンは化学薬品を加えて沈殿させて回収しているが、この沈殿物自体が産業廃棄物となり、その処理方法自体が問題視されている。
【０００８】
本発明は、ミズゴケを用いることにより、このような問題を抜本的に解決し得る発明である。
【０００９】
すなわち、本発明は、生長ミズゴケと水とを接触させることにより当該水を浄化する、水の浄化方法（以下、本浄化方法ともいう）を提供する発明である。
【００１０】
（Ａ）本浄化方法の総括的説明
本発明において、「生長ミズゴケ」とは、少なくとも、生命活動が維持されているミズゴケを意味するものとする。すなわち、「生長ミズゴケ」には、栽培された、または、野生のミズゴケ（水分が十分に含まれている状態）と、加熱処理等の殺菌死滅処理がおこなわれておらず、再生の可能性の残された単純乾燥ミズゴケを含むものとする［単純乾燥ミズゴケは、葉緑素が失われてしまい、変色するものの、乾燥後、相当の長時間が経過したものでなければ、水分を供給すれば、生命活動を再開する可能性があることが知られている（概ね、常温で１ヶ月程度以下の乾燥期間が、乾燥後の生命活動再開の限界であると考えられる）］が、前者の水分が十分に含まれつつ生命活動が維持されているミズゴケを用いることが好適である。
【００１１】
本浄化方法においては、生長ミズゴケと浄化対象の水を接触させることにより、生長ミズゴケが浄化対象の水の中の浄化対象成分を同化して生長することにより、浄化対象の水から浄化対象成分が除去されて、浄化対象の水が浄化処理されることとなる。この浄化処理を行うにつれて、生長ミズゴケは、さらなる生長を継続するが、生長が適切な程度に及んだ時点で、生長ミズゴケの生長部分を切断することにより、切断されて残った部分の生長ミズゴケは再生し、再び生長を開始する。また、切断されて除去された部分の生長ミズゴケは、再び、本浄化方法を行うための素材とすることも可能であり、土壌改良材、吸水材等の現在行われているミズゴケの産業用用途に用いることも可能である。これは、多くの植物を用いた水の浄化方法における対象植物自体が、廃棄物となって処理手段の確立が問題となることと比べて、本発明が大いに優れる点の一つである。また、ミズゴケ類は、全世界に分布するものであり、本発明を行う地域に存在するミズゴケを用いることにより、「外来種が在来種を駆逐する」懸念も生じない。
【００１２】
浄化対象となる水は全く限定されず、本浄化方法による浄化処理を施す必要が考えられるものであればよい。通常考えられる対象としては、河川水、湖沼水、下水、中水、または、地下水等が挙げられる。
【００１３】
また、本浄化方法においては、生長ミズゴケと浄化対象の水との接触が間接的な接触であることが好適である。「間接的な接触」とは、生長ミズゴケと浄化対象の水とが、緩衝材を介して接触することを意味する。緩衝材は、浄化対象の水の中の雑菌や汚泥等の生長ミズゴケの生長を阻害してしまう要素が直接的に生長ミズゴケに接触することを防ぐ作用を有し、かつ、揚水力が認められることが好適である。このような条件を満たす緩衝材としては、乾燥ミズゴケ、乾燥ミズゴケ、生長ミズゴケ、スポンジ、砂、吸水性樹脂、海綿等を挙げることができるが、優れた揚水力と経済性を考慮すると、乾燥ミズゴケが好適である。「乾燥ミズゴケ」とは、上記の殺菌死滅処理を加えた乾燥ミズゴケと、単純乾燥ミズゴケの双方を意味するものとするが、経済性等を考慮すると、殺菌死滅処理を加えた乾燥ミズゴケを用いることが好適である。なお、「乾燥ミズゴケ」といっても、本発明品は、使用に際して、乾燥ミズゴケが水分を含有することが前提となるので、本発明品の製造時点〜使用時点のいずれの時点において、乾燥ミズゴケに水分を含ませても、本発明の技術的範囲に入るものとする。
【００１４】
また、「乾燥ミズゴケ」、上述した「生長ミズゴケ」共、本発明が適用され得るミズゴケは、コケ植物蘚類  ミズゴケ科  ミズゴケ属(Sphagnum L.)に属する全てを意味し、例えば、日本国原産のものであれば、オオミズゴケ(Sphagnum palustre L.)、イボミズゴケ(Sphagnum papillosum Lindb.)、ムラサキミズゴケ(Sphagnum magellanicum Brid.)、キレハミズゴケ(Sphagnum aongstroemii C.Hartm)、キダチミズゴケ(Sphagnum compactum DC.)、コアナミズゴケ(Sphagnum microporum Warnst.ex Card)、コバノミズゴケ(Sphagnum calymmatophyllum Warnest.& Card.)、ユガミミズゴケ(Sphagnum subsecundum Nees ex Sturm)、ホソバミズゴケ(Sphagnum girgensohnii Russow)、チャミズゴケ(Sphagnum fuscum(Schimp.) H.Klinggr.)、ヒメミズゴケ(Sphagnum fimbriatum Wilson ex Wilson & Hook.f.)、スギハミズゴケ(Sphagnum capillifolium(Ehrh.) Hedw.)、ホソベリミズゴケ(Sphagnum junghuhnianum Dozy & Molk. Subsp. Pseudomolle(Warnest.) H.Suzuki)、ワタミズゴケ(Sphagnum tenellum Hoffm.)、ハリミズゴケ(Sphagnum cuspidatum Hoffm.)、アオモリミズゴケ(Sphagnum recurvum P. Beauv.)、ウロコミズゴケ(Sphagnum squarrosum Crome)等を挙げることができる。また、日本国以外の地域原産のミズゴケを、本発明に適用することも可能であることは勿論である。
【００１５】
これらのミズゴケの中でも、オオミズゴケは、「生長ミズゴケ」としても、「乾燥ミズゴケ」としても、本発明を適用するのに好適なミズゴケの一つである。
【００１６】
なお、上述した乾燥ミズゴケ等の緩衝材に、水質浄化材、例えば、多孔質セラミックス、酵素やバクテリアを含んだ多孔質セラミックス、酸化鉄や三価鉄を含有して窒素化合物の吸着に優れた多孔質セラミックス、ゼオライト、モンモリロナイト、活性炭、炭、生長する際の同化作用によって水質浄化能を有する植物（シュロガツユリ等）の種子等を組み入れて、これらの水質浄化作用により、生長ミズゴケに接触する水のさらなる浄化を図ることが可能である。
【００１７】
本浄化方法により、浄化対象水におけるリンの除去を中心とした浄化処理が可能となる。なお、本浄化方法の対象となる浄化対象物質は、リンのみならず、生長ミズゴケが同化可能な原子を有する物質、例えば、硝酸塩、亜硝酸塩、アンモニウム塩等の窒素源となり得る塩類の他、炭素源、酸素源、水素源となり得る物質も対象となる。
【００１８】
（Ｂ）ミズゴケの栽培基を用いる態様
本浄化方法においては、特定のミズゴケ栽培基、すなわち、「定形化されている乾燥ミズゴケの集合物に対して、まとまった状態の生長ミズゴケの茎部の１単位以上が、その乾燥ミズゴケの集合物に接触しており、かつ、前記の生長ミズゴケの生長点が、前記の乾燥ミズゴケの集合物から実質的に露出してなる、ミズゴケの栽培基」（以下、特定ミズゴケ栽培基ともいう）を１個以上用いて、生長ミズゴケと浄化対象の水を、間接的に接触させることが好適である。
【００１９】
＜特定ミズゴケ栽培基について＞
特定ミズゴケ栽培基は、少なくとも、１）定形化されている乾燥ミズゴケの集合物（以下、乾燥ミズゴケ定形物ともいう）と、２）生長ミズゴケ、により構成される。
【００２０】
（１）乾燥ミズゴケ定形物
乾燥ミズゴケ定形物は、文字通り、乾燥ミズゴケが一定の形状に固定されてなるものである。この乾燥ミズゴケ定形物の形状は、特に限定されないが、水面よりも、生長ミズゴケの生長点を上に維持することが可能な形状であることが必要である。この条件を満たす限り、乾燥ミズゴケ定形物は、あらゆる形状をとり得る。例えば、特定ミズゴケ栽培基の主要な態様の一つとして、「定形化された乾燥ミズゴケの集合物に凹部が設けられており、この凹部において、まとまった状態の生長ミズゴケの茎部の１単位以上が圧縮された状態で嵌め込まれ、かつ、この生長ミズゴケの生長点が、前記乾燥ミズゴケの集合物の凹部において実質的に露出している」が認められるが、この態様に基づき、乾燥ミズゴケ定形物において、まとまった状態の生長ミズゴケの茎部を嵌め込むべき凹部が設けられた態様を例示することができる。この乾燥ミズゴケ定形物は、複数の乾燥ミズゴケの植物体が互いに接触して、個々の乾燥ミズゴケが縦方向（長手方向）に整列した状態で定形化していることが好適な態様の一つである（以下、この態様を「縦整列態様」ともいう）。
【００２１】
乾燥ミズゴケ定形物の内容と、それらに対応する製造方法は、例えば、以下の手段が挙げられる。
【００２２】
a)事後的に固化可能な成分を、繋ぎ成分として用いる方法
「事後的に固化可能な成分」としては、例えば、水等の溶媒を加えた粘土類、同紙繊維等を挙げることができるが、これらの中でも、水を加えた紙繊維を含む成分が、好適である。すなわち、乾燥ミズゴケ定形物が、少なくとも紙繊維を含有する繋ぎ成分で定形化されていることが好適である。
【００２３】
紙繊維は、例えば、粉砕紙、または、紙前駆物として提供され得る。粉砕紙とは、文字通り、粉砕した紙であり、紙の種類は、特に限定されない。例えば、新聞紙、衛生用紙、雑誌類、チラシ、コピー用紙等を、紙として使用することが可能であり、また、ケナフ紙（ケナフの植物繊維により普通紙の製造工程に準じて製造され得る紙）を紙として用いることもできる。粉砕とは、基となる紙の一部または全部が紙繊維単位まで細かくなっている状態をいう。粉砕手段は、特に限定されないが、水中における剪断刃による剪断、同やすり刃による削り出し、さらには、同手もみ等により、所望の粉砕紙を調製することができる。
【００２４】
紙前駆物とは、パルプから精製した、紙の直接的な原料となる水を含んだ植物繊維である。
【００２５】
紙繊維と水の混合割合は、特に限定されないが、質量比で、紙繊維（乾燥質量）：水＝１：４０００〜１：１０程度、好適には、同１：３０００〜１：５００程度の範囲である。
【００２６】
また、必要に応じて、上記の紙繊維と水以外の成分を添加することができる。例えば、砂利、砂、土、陶器粉、ガラス粉、灰類、軽量骨材、粘土、ピートモス、パーライト等の土質細物（形態が土に似た細かい物）、各種のデンプン等の透水性粘結成分等を挙げることができる。また、例えば、植物繊維（紙繊維は除く）、乾燥ミズゴケ、植物の種子等を含有させることができる。
【００２７】
なお、事後的に固化可能な成分を、別個に調製して、これを、乾燥ミズゴケの集合物を定形化する際に、乾燥ミズゴケに対して塗布を行う等、用時に組み合わせることも可能である。また、前もって、事後的に固化可能な成分中に、乾燥ミズゴケを含有させた、乾燥ミズゴケの含有組成物として、これを特定ミズゴケ栽培基の製造に用いることも好適である。
【００２８】
例えば、事後的に固化可能な成分を、上述の紙繊維等を含有する含水組成物とする場合、質量比で、紙繊維等：乾燥ミズゴケ（乾燥質量）＝１：１００〜１：２０程度として、これと水を混合して、紙繊維等と乾燥ミズゴケの含有量が、組成物に対して１〜２０質量％程度となるように水を加えた含水組成物とすることが好適である。
【００２９】
b) 水に対して浮上することができる手段が施された器物の凹部を利用する方法
「器物」とは、静置状態で一定の形状を有する物体（ただし、電力等による駆動力による形状の変化を伴う物体も、器物の範疇に入るものとする）のことを意味するものである。形状は、乾燥ミズゴケを一定形状に固定することが可能な凹部を設けることができる限り、全く限定されない。また、素材も限定されるものではなく、木、石、プラスチック、発泡スチロール、ゴム、金属、素焼き物、陶器、磁器、粘土、炭素繊維、ガラス、軽石、木炭等を用いることができる。ただし、少なくとも、生長ミズゴケが直接接触する部分、例えば、後述する、「乾燥ミズゴケの集合物の凹部、または、器物の凹部の生長ミズゴケ側の開口部と実質的に連続した平面および/または曲面の表面」は、生物の栄養源を実質的に含まない素材で構成されていることが好適である。具体的には、上に列挙した素材は、この生物の栄養源を実質的に含まない素材として例示できるが、例えば、木材、紙粘土、腐葉土等は、生物、特に、細菌類、菌類、藻類、ミズゴケ以外のコケ植物等の、ミズゴケの生育と競合し得る微生物が資化可能な炭素源が無視できない程度に含有されており、少なくとも、生長ミズゴケが直接接触する部分の素材としては、好適とはいえない。
【００３０】
「水に対して浮上することができる手段」としては、器物自体を水よりも比重が小さい素材、例えば、発泡スチロール、木、軽量プラスチック等を用いることが挙げられる。また、浮き球、浮き輪等の、空気等のガスを大量に含む器具を器物に取り付けることも好適な手段の一つである。
【００３１】
b-1)器物の凹部が、この器物を貫通する貫通口である場合には、生長ミズゴケと接触している「定形化された乾燥ミズゴケの集合物」が、栽培基の底部において実質的に露出している。この実質的に露出した乾燥ミズゴケの集合物と水が接触し、この水が乾燥ミズゴケに浸潤した状態で、生長ミズゴケとの接触部分へと移行することにより、生長ミズゴケに水が供給されて、生長ミズゴケの養生が行われる。生長ミズゴケが、乾燥ミズゴケと共に、水と直接に接触する態様とすることも可能であるが、この場合、浸潤水中の不純物を濾過する乾燥ミズゴケの水の濾過作用を、生長ミズゴケに対して活かしきれないこととなる。言い換えれば、水に対しては、上記の定形化された乾燥ミズゴケの集合物のみを直接に接触させて、生長ミズゴケには、乾燥ミズゴケを介した浸潤水のみを供給する態様とすることが、生長ミズゴケに、乾燥ミズゴケにより濾過された水を供給されることとなり、好適である。
【００３２】
特に、水の供給源となる水が、微生物を豊富に含み得る水、例えば、富栄養化した湖沼や、汚れた河川の水、下水の単純浄化水等である場合には、水と共に、これらの微生物を生長ミズゴケに接触させてしまう可能性が強い。よって、水を、上記のような微生物を豊富に含み得る水源とする場合は、器物の素材を水不透性の素材、例えば、石、プラスチック、発泡スチロール、ゴム、金属、陶器、磁器、粘土、炭素繊維、ガラス等、とすることが好適である。このような場合に、あえて器物の素材として透水性の素材、例えば、素焼き物、紙粘土、砂礫、軽石、透水組成物（後述する）等を用いる場合には、生長ミズゴケと上記の透水性が認められる素材との間に水不透性の素材（例えば、水不透性のビニールシート等）を介在させて、透水性の組成物と生長ミズゴケとの間の水の流通を遮断することが好適である。
【００３３】
b-2)上記の素材のうち、発泡スチロールは、水不透性で、かつ、生物の栄養源を実質的に含有しないだけではなく、所望の形状への加工が容易であり、かつ、軽量であり、取り扱い易いという長所がある。また、上述したように水に浮くので、本発明においては特に好適な素材である。ただし、その反面、発泡スチロールにおいて自然な風合いを出すことは非常に困難であり、例えば、発泡スチロールの表面にそのまま着色処理を施しても、人工的な雰囲気を抑えることは簡単ではない。
【００３４】
このような場合、以下のα)〜δ)の工程で、発泡スチロール等の素材の表面を自然な風合いとすることが可能である（この工程を行うことが可能な対象は、発泡スチロールに限らず、特定ミズゴケ栽培基における器物となり得るあらゆる素材を選択することが可能である）。
【００３５】
α)発泡スチロール等の表面に、事後的に硬化し、かつ、固化前は粘調な液体素材を塗布する。かかる事後的な硬化素材としては、接着剤又は水性塗料、例えば、シリコーン系接着剤、水性樹脂塗料（水性アクリル樹脂塗料等）、ウレタン系接着剤、酢酸ビニル系接着剤、セルロース系接着剤、合成ゴム系接着剤、紫外線硬化系接着剤、嫌気性接着剤、紫外線嫌気性接着剤等を挙げることができるが、水性樹脂塗料（水性アクリル樹脂塗料等）又はシリコーン系接着剤が好適である。なお、水性樹脂塗料を用いる場合には、所望する色彩を選択することも可能である。
【００３６】
この塗布の方法は、特に限定されず、例えば、上記液体素材を入れた射出用容器（射出用チューブ等）から、当該液体素材を対象物の表面に射出し、これを小手等で均すことも可能であり、薄く塗りたい場合は、刷毛等に当該液体素材を付着させて、これを対象物表面に塗布することも可能である。
【００３７】
β)次に、対象物の表面に塗布された上記液体素材を毛羽立たせることが好適である。この工程を行う方法は、特に限定されないが、例えば、対象物表面の液体素材の表面に剛性を有する起毛性部材（例えば、針金の刷毛）でたたくことにより、上記液体素材を対象物表面上において毛羽立たせることができる。
【００３８】
γ)次に、対象物表面に塗布した液体素材の上から、粒子（砂利、砂、土、陶器粉、ガラス粉、灰類、軽量骨材、粘土、ピートモス、乾燥ミズゴケの粉砕物、パーライト等）、顔料、色素、コケ植物、緑藻類等をふりかけた後、好適には、対象物表面に、通常の上水道口にシャワーノズルを付加して生成させた程度の水流を接触させて、余分なふりかけ物を洗い流す。次いで、好ましくは、対象物表面を軽くなでつけてならし、次いで、この液体素材を固化（乾燥、紫外線照射、嫌気等の事後的硬化素材の種類に応じた固化方法による）させることにより、土壁にも似た、自然な風合い表面を、対象物上に形成することができる。また、後述する透水組成物の前駆組成物を、上記の土質細物として用いることも可能である。
【００３９】
δ)  上記γ)の対象物の表面に、塗膜を設けることが、対象物の表面における微生物の栄養源が表面に露出するのを防ぐために好適である。ただし、対象物の表面上にふりかけた物が、ミズゴケ以外のコケ植物や緑藻のような生物である場合は、この塗膜を設ける工程を行うことは、当該生物が生命活動を行う上での障害になるため、好適ではない。塗膜は、対象物の表面上に所望するコーティング素材の塗布を行い、これを乾燥・固化させることで設けることができる。このコーティング素材としては、特に限定されず、現在、上薬として提供されている製品を用いることが可能であるが、可能な限り、透明性が保たれ、かつ、安全性の高いものを用いることが好適である。例えば、水性の下地安定剤として販売されているアクリル樹脂の水性剤（アトミクス株式会社製等）を、このコーティング素材として転用することが非常に好適である。さらに、必要に応じて、このコーティング素材の上面に防水処理、例えば、シリコーンコーティング剤の塗布処理を行うことにより、防水を行うことができる。
【００４０】
上記α)〜δ)の工程に従うことにより、発泡スチロール等の表面を、自然な風合いの表面とすることが可能である。
【００４１】
b-3)透水性の素材として好適なものとして、「粉砕紙及び／又は紙前駆物（以下、粉砕紙等ともいう）、並びに、土質細物を含有する組成物」（透水組成物ともいう）を挙げることができる。
【００４２】
透水組成物は、製品への加工の過程で、加熱処理を行わずに済む、省エネルギー型の天然素材である。
【００４３】
「粉砕紙」、「紙前駆物」及び「土質細物」は、前記の定義と同一である。
【００４４】
製品製造に際して、透水組成物には、水を含有させることが必要である。
【００４５】
すなわち、透水組成物は、それらの前駆組成物を経て形成される。すなわち、まず、粉砕紙等、土質細物および水を含有する前駆組成物を調製して、これらの前駆組成物が、透水組成物の基礎として用いられる。
【００４６】
透水組成物またはその前駆組成物における、粉砕紙等および土質細物の比率は、特に限定されないが、概ね、質量比で、粉砕紙等：土質細物＝４：１〜１：４程度が好ましい。粉砕紙等の比率が多くなりすぎると、透水組成物自体が脆くなり、色合いにおいても、紙の色が全面に出てしまい、色彩意匠的にも適切性を欠く場合がある。また、土質細物の比率が多くなり過ぎると、透水組成物の基礎組成物における固着性が低下し、乾燥しても安定して定形化することが困難となるばかりか、両組成物の単位体積当りのコストが上昇する傾向が強くなる。
【００４７】
なお、透水組成物において用いる土質細物として、粘土を含有させることが好適である。かかる粘土の含有量は、特に限定されず、これらの組成物の土質細物全部を、粘土とすることも可能であるが、一般的には、質量比で、粘土：粘土以外の土質細物＝１：１０〜１０：１程度が好ましい。
【００４８】
また、透水組成物の前駆組成物における粉砕紙等、土質細物と、水の比率は、特に限定されず、自由に選択し得るが、一般的には、前駆組成物全量に対して１〜９０質量％、同３０〜９０質量％程度が好ましい。水の含有量が少なすぎると、粉砕紙を用いる場合の紙の粉砕作業が難しくなり、粉砕紙と土質細物との十分な混練も困難となる。水の含有量が多過ぎると、前駆組成物の重量が重くなりすぎ、組成物の調製作業に過度の負担を与えるばかりか、水資源の浪費となってしまう可能性がある。
【００４９】
なお、透水組成物には、上記の必須の要素の他に、必要に応じて他の要素、例えば、植物繊維（例えば、根張り面を形成した根部、剪断した根部等の植物の根部等）、わら、生ゴミ粉砕物、炭片、鉱石類、植物の種子、乾燥ミズゴケ等、を含有させることができる。
【００５０】
さらに、透水組成物にコケ植物（乾燥ミズゴケを除く）を含有させて、透水組成物の表面にコケ植物を露出させることも可能である。
【００５１】
具体的には、透水組成物の前駆組成物に、コケ植物を含有させることで、最終的に、所望のコケ植物を含有する透水組成物を得ることができる。
【００５２】
コケ植物は、自然界に自生しているコケ植物をそのまま用いることも可能であり、栽培法で得たコケ植物を用いることも可能である。また、いわゆる培養法〔例えば、「植物バイオテクノロジーII」，東京化学同人：現代化学・増刊２０の第３９頁「蘚苔類の培養」（小野著）等参照のこと〕を用いた「培養ゴケ」を用いることも可能であるが、通常は、栽培法で得たコケ植物を用いることが好ましい。
【００５３】
透水組成物に含有させ得るコケ植物の種類は特に限定されない。
【００５４】
例えば、Atrichum undulatum(Hedw.)P.Beauv(Namigata-Tachigoke)等のAtrichum P.Beauv.(Tachigoke-zoku) ；Pogonatum inflexum(Lindb.)Lac.(Ko-sugigoke) 等のPogonatum P.Beauv(Niwa-sugigoke-zoku);Polytrichastrum formosum(Hedw.)G.L.Smith等のPolytrichastrum G.L.Smith(Miyama-sugigoke-zoku);Polytrichum commune Hedw.(Uma-sugigoke) 等のPolytrichum Hedw.(Sugigoke-zoku);Ceratodon purpureus (Hedw.) Bird.(Yanoueno-akagoke)等のCeratodon Bird.(Yanouenoaka-goke-zoku);Dicranum japonicum Mitt.(Shippogoke) 、Dicranum nipponense Besch(O-shippogoke) 、Dicranum scoparium Hedw.(Kamojigoke)、Dicranum polysetum Sw.(Nami-shippogke)等のDicranum Hedw.(Shippogoke-zoku);Leucobryum scabrum Lac.(O-shiragagoke)、Leucobryum juniperoideum(Brid.) C.Mull.(Hosoba-okinagoke) 等のLeucobryum Hampe(Shiragagoke-zoku);Bryum argenteum Hedw.(Gingoke) 等のBryum Hedw.(Hariganegoke-zoku);Rhodobryum giganteum(schwaegr.)Par.(O-kasagoke)等のRhodobryum(Schimp.)Hampe(Kasagoke-zoku) 、Plagiomnium acutum(Lindb.)T.Kop.(Kotsubogoke) 等のPlagiomnium T.Kop.(Tsuru-chochingoke-zoku);Trachycystis microphylla(Dozy et Molk.)Lindb.(Kobano-chochingoke)等のTrachycystis Lindb.(Kobano-chochingoke-zoku);Pyrrhobryum dozyanum(Lac.) Manuel(Hinokigoke)等のPyrrhobryum Mitt.(Hinokigoke-zoku);Bartramia pomiformis Hedw.(O-tamagoke) 等のBartramia Hedw.(tamagoke-zoku);Climacium dendroides(Hedw.)Web.et Mohr(Furoso) 、Climacium japonicium Lindb.(Koyano-mannengusa)等のClimacium Web.et Mohr(Koyano-mannengusa-zoku);Racomitrium ericoides(Web.et Brid) Brid(Hai-sunagoke) 、Racomitrium japonicium Dozy et Molk.(Ezo-sunagoke)、Racomitrium canescens(Hedw.) Brid.ssp.latifolium(Sunagoke)、Racomitrium barbuloides Card.(Kobanosunagoke) 等のRacomitrium Brid.(Shimofurigoke-zoku) ；Hypnum plumaeforme Wils.(Haigoke) 等のHypnum Hedw.,nom.cons.(Haigoke-zoku);Thuidium Kanedae Sak.(Toyama-shinobugoke)等のThuidium Bruch et Schimp.in B.S.G.(Shinobugoke-zoku)等を挙げることができるが、これらに限定されるものではないが、ミズゴケとこれらのコケ植物の好適な生育環境が異なる場合が多いので、様々な要素、例えば、生育pH等を考慮して、用いるコケ植物を選択することが好適である。
【００５５】
これらのコケ植物は、単独種類のコケ植物を用いることは勿論のこと、２種以上を組み合わせて用いることも可能である。
【００５６】
コケ植物を含有する透水組成物を、特定ミズゴケ栽培基の乾燥ミズゴケ定形物として用いる場合には、少なくとも、製品完成時点においては、コケ植物が、透水組成物の表面において露出していることが、コケ植物の光合成の機会の確保の観点からも、意匠上の観点からも、好適である。
【００５７】
このコケ植物の露出手段として、まず、透水組成物中のコケ植物の含有比率を高く設定することが挙げられる。具体的には、コケ植物を、透水組成物のコケ植物以外の含有物の２倍量〜１５倍量（質量比）程度となるように含有させることが挙げられる。コケ植物の含有量が、透水組成物のコケ植物以外の含有物の２倍量未満であると、コケ植物以外の要素（紙繊維、土質細物及び乾燥ミズゴケ）が、透水組成物の表面を覆ってしまう割合が多くなり、コケ植物が十分に光合成を行うことが難しくなる。また、同コケ植物の含有量が１５倍量を超えると、透水組成物におけるコケ植物の固定力が弱くなり過ぎる傾向が認められる。
【００５８】
他の露出手段として、透水組成物におけるコケ植物の含有量を２倍量（質量比）未満、好適には、０．１〜１倍量としつつ、成形した透水組成物の表面近傍のコケ植物を、様々な露出手段により、露出させる態様が挙げられる。
【００５９】
例えば、１）電動のやすり付き工具等で、成形して乾燥させた透水組成物の表面を薄く削り出し処理をする態様や、最も好適な態様として、２）成形した透水組成物の前駆組成物の水分が失われる前に、その表面を、水流と接触させること、等を挙げることができる。
【００６０】
露出手段２）は、効率的にコケ植物の露出を行うことが可能であること、および、露出工程において、削り出しのような埃が発生しないという点において、極めて有利である。
【００６１】
水流を用いた露出工程２）において、水流を接触させる前駆組成物は、水分が含まれている「固化前の状態」であるから、通常であれば、水流によって組成物は崩れてしまうはずである。しかしながら、当該前駆組成物の水流を接触させる面の表面近傍に存在するコケ植物が、水流をトラップすることにより、組成物全体が崩れてしまうことを防御することとなる。このために、ごく表面の前駆組成物の土質細物や粉砕紙等のみが水流との接触によって洗い流される結果、所望するコケ植物の露出状態を非常に簡便に実現することができる。なお、この水流の強さの程度は、日本国において、通常の状態（給水制限時のように、極端に水圧が下がっている場合は、水圧が不足する可能性がある）で用いる家庭用の上水道から連結したノズル付きホースで実現される程度の水流で十分である。
【００６２】
また、成形する透水組成物の形状が球状に近似した形状である場合には、透水組成物の前駆組成物で形成された所望の成形物を、完全乾燥前に、複数個、電気洗濯機のような、水流発生機構が設けられている水槽に入れ、この水槽において水流を発生させることにより、水流と透水組成物の成形物同士の接触による摩擦力により、コケ植物の露出工程を行うことができる。なお、この水槽における処理は、通常の家庭用の洗濯機程度の水流中で、２〜１０分間程度、透水組成物の成形物同士を接触させることで行うことができる。
【００６３】
以上述べた内容の透水組成物の前駆組成物を所望の形状として、これを乾燥させることにより、当該形状の透水組成物を素材とする器物が提供される。
【００６４】
b-4)器物の凹部が、この器物を貫通する貫通口ではなく、底が閉じた凹部であり、かつ、この底が閉じた凹部に通ずる吸水口が設けられていない場合には、器物自体を介して凹部内の乾燥ミズゴケに、水を供給するために、器物の素材として、上述した透水性が認められる素材を選択することが必要となる、このような透水性の素材としては、素焼き物、紙粘土、砂礫、軽石等を例示することができる。ただし、この態様は、水が微生物を豊富に含み得る水、例えば、富栄養化した湖沼や、汚れた河川の水、下水の単純浄化水等である場合には、水と共に、これらの微生物を生長ミズゴケに接触させてしまう可能性が強い。
【００６５】
c) その他の定形化方法
上述したa)、b)の方法の他に、例えば、綿糸、絹糸、針金等の線状部材や、フィルム状の部材、網状の部材を、所望の形状に調えた乾燥ミズゴケに巻き付けて、乾燥ミズゴケを定形化することが可能である。また、例えば、地面やコンクリート面等に穴を設けて、この穴に乾燥ミズゴケを充填することも、「定形化」に含まれるものとする。
【００６６】
（２）生長ミズゴケ
生長ミズゴケは、第１図に示したような外観のミズゴケ植物体１０の、茎部１１、枝部および葉部１２のうち、少なくとも、生長点を有する茎部が残った状態のものを用いるのが好適である。
【００６７】
ここで、ミズゴケの茎部が「生長点を有する」とは、仮に、ミズゴケの茎部を切断した場合に、その切断した部分から、ミズゴケの植物体が伸長し得る「生長点」であり得ることを意味するものとする。具体的には、特定ミズゴケ栽培基に用いるミズゴケ植物体は、茎部が、２cm程度以上、確保されていることが好適である。葉部（葉状体の部分）と枝部（枝分かれしている部分）は、意匠的には確保されていることが好適であるが、確保されていなくてもよい。生長点を含む茎部さえ確保されていれば、特定ミズゴケ栽培基におけるミズゴケ栽培を行うことが可能である（葉部と枝部自身も生長可能である。なお、茎部等に生長点が存在するか否かの判断は、茎部等の切断面近傍において、目視で緑色がかった彩色が認められるか否かによって行うことができる。すなわち、緑色がかった彩色が認められる場合には、生長点が確保されているものと判断し、緑色が失われている場合には、生長点が実質的に失われてしまっていると判断することが可能である。
【００６８】
生長ミズゴケの茎部が、「まとまった状態」である、とは、何らかの態様で、複数本の生長ミズゴケの茎部が集約している状態を意味するもので、代表的には、束ねられた状態の茎部を挙げることができる。この場合、茎部同士が絡まっていても、絡まっていなくても構わない。また、生長ミズゴケが、たとえ１本であっても、その茎部を折り込むことにより、１本の茎部を、「まとまった状態」とすることができる。また、特定ミズゴケ栽培基等に用いる「まとまった状態の茎部」は、茎部同士で圧縮された状態とすることが、後述するブルト形態を生長ミズゴケにおいて形成させる上で好適である。
【００６９】
また、この「まとまった状態の茎部」は、特定ミズゴケ栽培基において、１カ所以上に、１個以上を配置することが可能であり、配置部位も、乾燥ミズゴケの固定物の内部または外側とすることができる。この「まとまった状態の茎部」は、乾燥ミズゴケ定形物に接触していることが、乾燥ミズゴケ定形物に吸収された水分（浸潤水）を、生長ミズゴケが、その生長に利用するために必要である。
【００７０】
さらに、生長ミズゴケの生長点を含む部分が、乾燥ミズゴケ定形物から、実質的に露出していることが必要である。これは、生長ミズゴケの生長点が、特定ミズゴケ栽培基において、「水没しない状態」であることが必要であり、この状態は、生長ミズゴケの生長点が、乾燥ミズゴケ定形物から実質的に露出していることで、容易に維持が可能だからである。
【００７１】
ここで、「実質的に露出している」とは、生長ミズゴケが、乾燥ミズゴケ定形物から、凸状に露出している状態は勿論のこと、例えば、乾燥ミズゴケ定形物に設けられた凹部の深さよりも、生長ミズゴケ部分が短く、結果として生長ミズゴケの先端部分が、この凹部の中に止まっている状態も、生長ミズゴケの生長により、生長ミズゴケの伸長部分が、乾燥ミズゴケ定形物の外部に露出する空間が確保されているような場合も含まれる。
【００７２】
また、特定ミズゴケ栽培基の、上記の生長ミズゴケの露出部分と異なる部分の一部または全部において、乾燥ミズゴケの集合物が露出しており、この露出部分の乾燥ミズゴケの集合物が、特定ミズゴケ栽培基の生長ミズゴケとの接触部分まで、連なっていることが必要である。この乾燥ミズゴケの露出部分が水と接触することにより、そこの水を吸収し、この吸収した水を、生長ミズゴケとの接触部分まで浸潤させ、生長ミズゴケに水を供給し、その結果、特定ミズゴケ栽培基における生長ミズゴケの養生を行うことができるからである。
【００７３】
このように、特定ミズゴケ栽培基の使用時において、上記の生長ミズゴケの露出部分と異なる、乾燥ミズゴケで構成される部分が、水と接触可能になっていることが必要である。上述したように、水を、乾燥ミズゴケを介して、生長ミズゴケに向けて供給することは、当該水において存在する不要な成分（汚れ等）を、乾燥ミズゴケの段階でろ過して、生長ミズゴケに供給し得る、という意義が認められる。このろ過の効果は、全長（１単位の乾燥ミズゴケの長手方向の長さのみならず、複数単位の乾燥ミズゴケを、長手方向に連結させた長さを含む）が長い乾燥ミズゴケを用いることで向上させることができる。
【００７４】
なお、乾燥ミズゴケ定形物が、縦整列態様である場合には、当該縦整列ミズゴケ定形物の横断面の一端が器物の凹部の開口部に向くように配置し、当該横断面の乾燥ミズゴケ同士の隙間に、生長ミズゴケの植物体を挿入して植えつけることで、特定ミズゴケ栽培基を製造することができる。この植え付け密度は、生長ミズゴケの植物体１個又は２〜５個程度を束ねて、前記乾燥ミズゴケ定形物の横断面０．２〜２平方センチ、好適には０．５〜１．５平方センチに１単位程度である。
【００７５】
（３）特定ミズゴケ栽培基の具体的な態様の例示
１）特定ミズゴケ栽培基の第１の態様は、器物を用いない態様である。第２図は、この第１の態様の特定ミズゴケ栽培基２０Ａ等の製造工程等の一例を示した図面である。
【００７６】
第２図（１）において、例えば、展開面上に配置したものを、内側に巻き込むことが可能であり、かつ、好適には、展開面上の水分を外部に逃すことが可能な間隙が設けられている、薄板状部材２１の展開面上に、水分を含ませ、なおかつ、水に溶かした紙繊維等の、事後的に硬化可能な含水組成物を馴染ませた乾燥ミズゴケ２２を敷き、その上に、好適には２本以上の生長ミズゴケ２３を、その茎部２３１を、乾燥ミズゴケ２２上に配置し、かつ、生長ミズゴケ２３の葉部と枝部２３１が、乾燥ミズゴケ２２の外側に位置するように載せ、これを、矢印２１１の方向に巻き込んで、薄板状部材２１を取り外す。この薄板状部材２１を取り外した後の状態を示しているのが、第２図（２）である。次いで、生長ミズゴケ２３の茎部２３１を巻き込んで、乾燥ミズゴケの集合物の内部に生長ミズゴケが含まれている状態の、事後的に固化可能な含水組成物が馴染んだ状態の乾燥ミズゴケの集合物２２１の部分を矢印２２２の方向に圧縮して、特定ミズゴケ栽培基２０Ａが出来上がる［第２図（３）］。このミズゴケ栽培基２０Ａは、事後的に固化可能な含水組成物の紙繊維等の繋ぎ成分により、定形化されている。そして、さらに、ミズゴケ栽培基２０Ａを乾燥することにより、乾燥ミズゴケの集合物２２１の、事後的に固化可能な含水組成物の水分が失われ、例えば、紙繊維等が、さらに強固な繋ぎとなって定形化した、特定ミズゴケ栽培基２０’Ａが得られる［第２図（４）］。この乾燥させた特定ミズゴケ栽培基２０’Ａは、乾燥した生長ミズゴケ２３が、目視で緑色を帯びた色彩であることを目途に、乾燥ミズゴケの集合物２２１を浄化対象水に接触させることにより、生長ミズゴケ２３の栽培を行うことができる。生長ミズゴケ２３の色彩から、緑色が失われてしまうと、水分を供給しても、生長ミズゴケ２３が再生することが難しくなる傾向が認められる。
【００７７】
このようにして、生長ミズゴケ２３の茎部２３１が、定形化した乾燥ミズゴケの集合物２２１の内部に接触した、特定ミズゴケ栽培基の製造を行うことができる。
【００７８】
なお、上記第２図（１）の巻き込みの段階で、水質浄化要素、例えば、多孔質セラミックス、酵素やバクテリアを含んだ多孔質セラミックス、酸化鉄や三価鉄を含有して窒素化合物の吸着に優れた多孔質セラミックス、ゼオライト、モンモリロナイト、活性炭、炭、生長する際の同化作用によって水質浄化能を有する植物（シュロガツユリ等）の種子等を、適切な態様、例えば、粒状、砂礫状、棒状等として、乾燥ミズゴケ２２と生長ミズゴケ２３と共に巻き込むことにより、定型化した乾燥ミズゴケ部分に、これらの水質浄化剤を組み入れることができる。また、この他の態様の定型化した乾燥ミズゴケ部分に、それぞれの態様に適した常法により、これらの水質浄化要素を組み入れることができる。このようにして、定型化した乾燥ミズゴケ部分に水質浄化要素を組み入れることによって、生長ミズゴケに接触する水をさらに浄化して、トータルの浄化効率を向上させることも可能となる。
【００７９】
また、別途、乾燥ミズゴケ定形物を製造し、これに、茎部をまとまった状態とした生長ミズゴケの当該茎部を、接触させた状態として、固定することも可能であり、「定形化されている乾燥ミズゴケの集合物に凹部が設けられており、この凹部において、まとまった状態の生長ミズゴケの茎部の１単位以上が、好適には圧縮された状態で嵌め込まれ、かつ、この生長ミズゴケの生長点が、前記乾燥ミズゴケの集合物の凹部において実質的に露出している、特定ミズゴケ栽培基」が提供され得る。例えば、第３図のように、両端が開口した円筒状部材２４１の一端に、凸部２４２１が設けられた、円筒部材２４１から脱着可能な、円形の底蓋２４２を、凸部２４２１が円筒内に向く方向に、嵌め込み配置して、これを底部とし、この中に、乾燥ミズゴケを含有する含水組成物２４３を流し込む［第３図（１）：縦断面図］。次いで、上部から、円筒部材２４１の内壁に沿って滑動させることが可能な押し板２４４を押し込み、含水組成物２４３の圧縮・脱水を行い［第３図（２）：縦断面図］，円筒部材２４１から、含水組成物２４３の圧縮・脱水物として、乾燥ミズゴケ定形物２４［第３図（３）：縦断面図］が得られる。この乾燥ミズゴケ定形物２４において、凸部２４２１に押し込まれて設けられた凹部２４０１に、茎部がまとまった状態の生長ミズゴケ２４５の茎部を、好適には圧縮して嵌め込むことで、特定ミズゴケ栽培基２５を得ることができる［第３図（４）：縦断面図、同第３図（５）：全体図］。
【００８０】
また、例えば、上記第２図の矢印２１１の巻き込みを行う前の段階で、生長ミズゴケ２３の代わりに、棒状部材（図示せず）を、乾燥ミズゴケの上に載せて巻き込んだ後、この棒状部材を乾燥ミズゴケの集合物からとり外し、これを乾燥ミズゴケ定形物とすることができる。この乾燥ミズゴケ定形物の棒状部材をとり外した後に形成される凹部に、生長ミズゴケ２３の、まとまった状態とした茎部２３１をはめ込むことで、特定ミズゴケ栽培基を製造することも可能である。
【００８１】
なお、これらの例では、１単位の生長ミズゴケ２３を用いているが、第４図のように、２単位以上の生長ミズゴケ２３’を用いて、第２図に示したと同様の行程により［第４図（１）：巻き込み行程］、２単位以上の生長ミズゴケ２３’の茎部が、乾燥ミズゴケ定形物の内部において乾燥ミズゴケ２２’と接触している、特定ミズゴケ栽培基２０Ｂを得ることができる［第４図（２）］。
【００８２】
また、凸部２４２１が１カ所設けられている、第３図の底蓋２４２に代えて、複数の凸部２４２２が設けられている底蓋２４２’を用いて、第３図と同様の行程を行い［第５図（１）］，複数の凹部２４０２が設けられている乾燥ミズゴケ定形物２４’を製造して、これらの凹部に、茎部がまとまった状態の、複数単位の生長ミズゴケ２４５’の茎部を、好適には圧縮して嵌め込むことで、特定ミズゴケ栽培基２５’を得ることができる［第５図（２）：縦断面図］。
【００８３】
また、上述した通り、特定ミズゴケ栽培基２０Ａと２０Ｂは、事後的に固化可能な含水組成物により、定形化されているが、これに代えて、または、これと組み合わせて、他の方法、例えば、上記にc)として示した、綿糸、絹糸、針金等の線状部材や、フィルム状の部材を用いて定形化する方法や、コケ植物や、植物の根張り面により、乾燥ミズゴケの集合物を、定形化する方法を行うことにより、特定ミズゴケ栽培基を製造することができる。
【００８４】
この第１の態様の特定ミズゴケ栽培基の高さ［栽培基を載置する際の底部に該当する箇所から、乾燥ミズゴケの定形物の生長ミズゴケが露出している箇所までの距離（生長ミズゴケが複数の場合には、最も遠いもの）：特定ミズゴケ栽培基１０Ａにおいては、ｈに該当する］は、最大、乾燥ミズゴケが揚水可能な高さまでであり、特定ミズゴケ栽培基の具体的な使用態様に応じて適切な高さを選択することができる。この揚水可能な高さは、乾燥ミズゴケの種類や品質等によって変動するものであり、正確に特定することは困難であるが、概ね６０cm程度である。最小の高さは、生長ミズゴケが、浄化対象水により水没しないことが、生長ミズゴケの生育にとって必要であるので、ある程度の高さは必須である。また、高さを０cm近辺としたミズゴケの栽培例は、すでに報告されている。特定ミズゴケ栽培基の場合、この高さは、最低２cm程度は必要であり、５cm以上であることが好適である。この高さが２cm程度未満であると、乾燥ミズゴケ集合物に、生長ミズゴケを安定に固着した状態で接触させることが困難であり、生長ミズゴケが、浄化対象水で水没しないように保つことも、実際上、困難である。
【００８５】
２）特定ミズゴケ栽培基の第２の態様は、器物を用いる態様である。第６図は、この第２の態様の特定ミズゴケ栽培基３０Ａ等の製造工程等の一例を、模式的に示した図面である。
【００８６】
第６図（１）において、両端が開口した円筒状部材３１１の一端に、円柱状の突出部３２１１が設けられた、円筒部材３１１から脱着可能な底蓋３２１を、突出部３２１１が上側になるように、嵌め込んで配置して、これを底部とする。次いで、円筒部材３１１と突出部３２１１との間に形成される隙間３２２に、透水組成物の前駆組成物を入れる（向かって右側の透水組成物の前駆組成物３３１は、水以外の含有成分が準溶解状態で含有されている態様のものであり、同左側の前駆組成物３３２は、例えば、前駆組成物３３１の水切りを行い、小片に分割して、これを基に造粒して、小粒子化して得られる、前駆組成物の小粒子である。実際には、前駆組成物３３１と３３２は、別々に用いるのが通常であるが、この図面においては、両者を同時に模式化している。第６図・第７図・第８図（１）において、同様である。）。次いで、円筒部材３１１の内壁と突出部３２１１に対して滑動可能なリング形の板状部材３４１で、隙間３２２を押し込んで、透水組成物の前駆組成物３３１と３３２を圧縮して、脱水・定形化を行っている。この圧縮行程の終了後、リング形の板状部材３４１を取り外し［第６図（２）］、次いで、円筒部材内で定形化した前駆組成物を取り出し、これを乾燥させることで、透水組成物を素材とした、円筒状の器物３５Ａ［第６図（３）］を得ることができる。この器物３５Ａの貫通口３５１に、例えば、特定ミズゴケ栽培基２５を押し入れることにより、器物３５Ａにより乾燥ミズゴケ集合物が定形化されている、特定ミズゴケ栽培基３０Ａを得ることができる。
【００８７】
また、この器物３５Ａと乾燥ミズゴケの定形化を連続的な行程で行うこともできる。すなわち、第６図（２）に続いて、円筒状部材等を転置して、新たな底部に、凸部３４２１が設けられた、円筒部材３１１から脱着可能な円形の底蓋３４２を、凸部３４２１が円筒内に向くように、嵌め込み配置し、底蓋３２１を取り外し、再びリング形の板状部材３４１を用いて、定形化された透水組成物の前駆組成物３３１と３３２を、新たな底蓋３４２に向けて押し込む［第７図（１）］。次いで、底蓋３２１上において、筒厚の円筒状に定形化された前駆組成物３３１と３３２の上から、この円筒の横断面の内周円を、同じく内周円とする、両端が開口している筒状部材３４３を、定形化された前駆組成物３３１と３３２の内周円と筒状部材３４３の内周円が重なるように載置して、乾燥ミズゴケと事後的に固化可能な成分（好適には、紙繊維等の含水組成物）との混合物３４７を、この内周円の中に流し込み、これを、筒状部材３４３の内壁に沿って滑動可能な押し板３４４を用いて押し込む［第７図（２）］。次いで、押し板３４４と筒状部材３４３を取り外し、筒状部材３１１の内壁に沿って滑動可能な、筒状部材３１１の内周円の全面を押し込むことが可能な円状の押し板３４５で、成形対象物３４６の面ならしを行った後、筒状部材３１１等を取り外す。円柱状の成形対象物の外側は、前駆組成物３３１と３３２を素材とする器物３４６１であり、内側は、片面に凹部３４６３が設けられた、乾燥ミズゴケ定形物３４６２である［第７図（３）］。この乾燥ミズゴケ定形物３４６２は、器物３４６１の貫通口と、紙繊維等の含水組成物等の事後的に固化可能な成分の両者により、定形化されている。この成形対象物３４６の凹部に、茎部をまとまった状態とした生長ミズゴケの茎部を、好適には圧縮して嵌め込むことにより、特定ミズゴケ栽培基３０Ａを得ることができる。
【００８８】
器物の形状は、特に限定されず、例えば、第８図（１）のように、器物を、透水組成物に、複数の貫通口３５２が設けられた板状体３５Ｂとして、これらの貫通口３５２に、特定ミズゴケ栽培基２５を、それぞれの貫通口に押し入れることにより、器物３５Ｂにより，複数の乾燥ミズゴケ集合物が定形化されている、特定ミズゴケ栽培基３０Ｂを得ることができる。
【００８９】
さらに、様々なデザインの器物を用いることにより、多様な形態の特定ミズゴケ栽培基を製造することが可能である。例えば、第８図（２）は、下方から上方にゆるやかな曲線を描いてテーパーしている半球状部材の、頂部近傍から、底部へと貫通する貫通口３５３が設けられた透水組成物を素材とする器物３５Ｃを製造し、その貫通口３５３に、例えば、特定ミズゴケ栽培基２５を押し入れ、さらに、この器物３５Ｃに、目に見立てた着色部材３５４１と、口に見立てた着色部材３５４２と、一端にループが設けられた金属棒３５４３を嵌め込んで固定して、さらに、器物３５Ｃの一部を、編み物３５４４で覆って、特有の顔型デザインの特定ミズゴケ栽培基３０Ｃを得ることができる。
【００９０】
これらの第２の態様の特定ミズゴケ栽培基における生長ミズゴケまでの高さも、第１の態様の特定ミズゴケ栽培基と同様に、最大、乾燥ミズゴケが揚水可能な高さまでであり、具体的には、概ね６０cm程度が最大であり、最小の高さは２cm程度であり、５cm以上であることが好適である。
【００９１】
＜本浄化方法について＞
上述した特定ミズゴケ栽培基は、本浄化方法を行うことによって、ミズゴケの栽培を行いつつ、浄化対象水の浄化処理を行うことが可能であり、ミズゴケの栽培を通じて水質の改善を図ることができる。
【００９２】
本浄化方法においては、特定ミズゴケ栽培基の、生長ミズゴケの露出部分と異なる部分、典型的には、乾燥ミズゴケの集合物、を浄化対象水と接触させて、乾燥ミズゴケの集合物に水を浸潤させ、生長ミズゴケに水（浸潤水）を供給しつつ、生長ミズゴケの生長点、すなわち、枝部および葉部として生長する部分を、浄化対象水の水面よりも高い位置に維持することが必要である。
【００９３】
上述したとおり、「浄化対象水」とは、文字通り、本浄化方法による水質浄化の対象となる水のことであり、特に限定されるものではない。ただし、「浄化対象水」がそのまま存在する場、すなわち、１）湖沼、河川、ダム、養殖池、運河、人工河川、田圃、湧水池、排水池、排水路、用水路、ビオトープ池等において、特定ミズゴケ栽培基を用いて当該浄化対象水の浄化を行う場合と、２）浄化対象水を、「浄化処理部」に導入して、当該浄化処理部おいて浄化処理を行う場合とに大別される。
【００９４】
本浄化方法は、上記１）２）のいずれの態様も含むものであるが、特に、２）の態様を、本発明の浄化システム（以下、本浄化システムともいう：後述する）としても提供する。
【００９５】
浄化対象水と接触させる、特定ミズゴケ栽培基の部分は、この接触によって、少なくとも、浄化対象水が、乾燥ミズゴケの集合物に接触することが可能である限り、特に限定されない。最も一般的には、水との接触部分において、乾燥ミズゴケの集合物が、実質的に露出している態様を挙げることができる。ここで、「実質的に露出」とは、特定ミズゴケ栽培基を浄化対象水に載置した場合に、浄化対象水が、直接的に乾燥ミズゴケの集合物に接触することができる状態にあることを意味するものであり、その限りにおいて、上記の器物を用いない特定ミズゴケ栽培基や、器物を用いる場合であって、乾燥ミズゴケの集合物が器物から突出している場合や器物に設けられた底部の貫通口が平らになるように充填されている場合を意味することは勿論であるが、これに加えて、この貫通口に凹部を形成するように、乾燥ミズゴケの集合物が充填されていても、上記の浄化対象水との接触条件を満足する限り、「実質的に露出」の範疇に含まれる。また、乾燥ミズゴケの集合物と浄化対象水との間に、スポンジ、透水性フィルム、網状素材等の透水性素材を、浄化対象水が、乾燥ミズゴケの集合物に接触することができる量的・質的限度で設けることもできる。また、この底部の貫通口入り口近傍の横断面積は、生長ミズゴケ側の貫通口の入り口近傍の横断面積と同一であってもよいが、小さくても、生長ミズゴケの養生に十分な量の浸潤水が、乾燥ミズゴケの集合物において確保される限りは許容される。むしろ、底部の貫通口近傍の横断面積が、生長ミズゴケ側よりも小さいことは、乾燥ミズゴケの集合物の抜けを簡便に防止し、かつ、乾燥ミズゴケを節約することが可能であり、好適である場合も認められる。
【００９６】
乾燥ミズゴケ集合物が「実質的に露出した」態様をとり得る特定ミズゴケ栽培基としては、例えば、上述した第１の態様の特定ミズゴケ栽培基２０Ａ、２０Ｂ、２５が挙げられる。これらを、生長ミズゴケを上として、浄化対象水において載置することにより、底部に露出している乾燥ミズゴケの集合物に水が接触して、この接触点から、生長ミズゴケの近傍まで、乾燥ミズゴケを介して水が引き揚げられ、生長ミズゴケに水が供給され、これにより、ミズゴケの養生が行われる。また、第２の態様の特定ミズゴケ栽培基、３０Ａ、３０Ｂ、３０Ｃは、それぞれ、器物に設けられた貫通口の底部に乾燥ミズゴケの集合物が露出しており、これらの貫通口が設けられている底部を、浄化対象水上に載置することにより、底部の貫通口から露出している乾燥ミズゴケの集合物に水が接触して、これらの接触点から、生長ミズゴケの近傍まで、乾燥ミズゴケを介して水が引き揚げられ、生長ミズゴケに水が供給され、これによりミズゴケの養生が行われる。このように、第２の態様のミズゴケ栽培基において、器物に設けられた凹部が貫通口である態様は、最も簡便に、浄化対象水を乾燥ミズゴケ定形物を介して、生長ミズゴケに供給することが可能な態様の一つである。
【００９７】
なお、上述の３０Ａ〜Ｃにおいて、貫通口が設けられておらず、器物中の乾燥ミズゴケ集合物が、一見して、閉じた状態で嵌め込まれている構成とすることも可能である。このような場合には、例えば、器物に、表側の口の位置が乾燥ミズゴケ集合物側の口の位置よりも高い、表側から乾燥ミズゴケ集合物側へ通じる水の流入口を設けて、この表側の口よりも高い水面が設けられている浄化対象水に、特定ミズゴケ栽培基を載置して、外部から、乾燥ミズゴケ集合物に向けて水を流入させることにより、乾燥ミズゴケ集合物に水を接触させて、これにより、生長ミズゴケの栽培を行うことができる。
【００９８】
また、例えば、器物の素材を透水素材として、器物の内側の乾燥ミズゴケ集合物の一番低い位置よりも高い水面を有する浄化対象水に、特定ミズゴケ栽培基を載置することにより、透水素材を介して、浄化対象水が、乾燥ミズゴケ集合物に浸透して、この浸透した水がさらに乾燥ミズゴケ集合物に接触して、これにより、生長ミズゴケの栽培を行うことができる。
【００９９】
さらに、生長ミズゴケの生長点を含む部分、すなわち、枝部および葉部として生長する部分が、浄化対象水面よりも高い位置に維持されていることが必要である。
【０１００】
この条件は、生長ミズゴケの生長点を含む部分が、実質的に、水中に没することがないように、特定ミズゴケ栽培基を維持するための条件である。ここで、「実質的に、水中に没することがない」とは、生長ミズゴケの生長点を含む部分が、恒常的に水中に没する状態にない、という意味であり、例えば、特定ミズゴケ栽培基を屋外に置いた場合に、降雨等により一時的に生長ミズゴケの生長点が水中に没することは、許容される。また、シャワー水等で、特定ミズゴケ栽培基の上から、水を供給することも、生長ミズゴケの生長を阻害しない限度で許容される。
【０１０１】
特定ミズゴケ栽培基においては、乾燥ミズゴケを、集合物として成形することにより、乾燥ミズゴケが、浄化対象水の水面に対して、嵩高く保たれ得る状態を形成し、ミズゴケ特有の非常に優れた吸水力により、この乾燥ミズゴケの集合物を介して、下方から上方へと、あたかも、天然のポンプのごとく揚水し、上方に配置した生長ミズゴケに向けて給水を行うことができる。この際、驚くべきことに、生長ミズゴケの茎部と、これに接触する乾燥ミズゴケは、あたかも、接木のごとき、生長ミズゴケと乾燥ミズゴケの接合体が形成されており、乾燥ミズゴケから生長ミズゴケへの水分の移動は、非常にスムーズに行われ得る。さらに、生長ミズゴケは、生長するにつれて、下部組織（茎部）が衰退し、これに伴い、フミン酸やフルボ酸といった有機酸を外部に滲出することにより、微生物汚染しにくい酸性環境が、浄化対象水において形成され、これにより、一層、本浄化方法における管理が簡便化される。
【０１０２】
また、本浄化方法において用いる、特定ミズゴケ栽培基における、生長ミズゴケの茎部は、前述したように、「まとまった」状態、好適には圧縮された状態である。本発明において、生長ミズゴケの茎部を、「まとまった状態」、好適には圧縮された状態とするのは、自然界において、ミズゴケの生長に伴い認められる、「ブルト」と呼ばれる、特徴的な群落状の形態を、人工的に再現をすることが目的である。驚くべきことに、生長ミズゴケを分散させて栽培した場合よりも、生長ミズゴケの茎部を、「まとまった状態」とすることで、著しく、ミズゴケの生長の促進を図ることが可能である。
【０１０３】
第９図（１）〜（６）は、上記凹部近傍でブルトを形成した生長ミズゴケが、加速度的に増殖する過程を図示した模式図である。
【０１０４】
第９図（１）は、第４図（２）の特定ミズゴケ栽培基２０Ｂを、器物Ａ１に設けられた貫通口Ａ１１に嵌め込んで（この器物Ａ１と特定ミズゴケ栽培基２０Ｂと浄化対象水Ａ２の組を、本ミズゴケ浄化システムＡＡとする）、浄化対象水Ａ２に器物Ａ１を載置した状態を示している。浄化対象水Ａ２には、水Ａ２１が確保されており、乾燥ミズゴケ２２’がこの水Ａ２１と接触して、浸潤水として、生長ミズゴケ２３’に供給している。器物Ａ１には、開口部Ａ１１１と実質的に連続した平面Ａ１１２が設けられている。
【０１０５】
生長ミズゴケ２３’は、当初は、上方向に伸張する[第９図（２）]が、やがて自重で水平方向に倒れて、水平方向に、全体としては平面Ａ１１２上において、放射状に伸張を始める[第９図（３）]。生長ミズゴケ２３’が放射状に伸張をする過程において、その茎部２３２’（葉部２３１’が、平面Ａ１１２上に露出し、太陽光線が良く当たるようになり、この茎部２３２’から、多数の再生芽２３’’が発芽し[第９図（４）]、この再生芽２３’’も、当初は上方向に伸張する[第９図（５）]が、やがて自重で水平方向に倒れて、放射状に伸張を行い[第９図（６）]、再生芽２３’’に由来する生長ミズゴケの茎部から、再々生芽が発芽して、当初上方向に伸張をはじめる。
【０１０６】
このように、ブルト形態においては、「上方向への伸張→放射状に伸張→再生芽の発芽→再生芽の上方向への伸張→再生生長ミズゴケの放射状の伸張→再々生芽の発芽→……」というサイクルを繰り返すことにより、加速度的に生長ミズゴケの増殖を行うことができる。これは、当該態様においては、極めて効率的に浄化対象物質の同化が行われ、浄化対象水の浄化処理が行われることを意味するものである。
【０１０７】
上記のように、本ミズゴケ浄化方法により、生長ミズゴケを増殖させると、栽培当初に設けた、生長ミズゴケの増殖の場としての平面および/または曲面いっぱいに生長ミズゴケが繁茂してしまい、その時点で、生長ミズゴケの増殖が緩慢化することとなる。その反面、生長ミズゴケを大量に増殖することを目的に、最初から、広いスペースを設けることが、必ずしも妥当ではない場合も認められる。このような場合は、生長ミズゴケの増殖の場を事後的に増設することが好適である場合が多い。
【０１０８】
すなわち、特定ミズゴケ栽培基における、乾燥ミズゴケの集合物の凹部、または、器物の凹部の生長ミズゴケ側の開口部と実質的に連続した平面および/または曲面が、事後的に増設可能な平面および/または曲面である、という態様をとることも可能である。
【０１０９】
この事後的に増設可能な平面および/または曲面を形成するための増設用部材は、特定ミズゴケ栽培基における、乾燥ミズゴケの集合物の凹部（主に第１の形態の特定ミズゴケ栽培基）、または、器物の凹部（主に第２の形態の特定ミズゴケ栽培基）、の生長ミズゴケ側の開口部と実質的に連続した平面および/または曲面を構成する部材の外延部に接触した状態で固定されることにより、この平面および/または曲面と、さらに連続した平面および/または曲面を形成することができる部材である。
【０１１０】
例えば、第１０図（１）のように、円柱状の特定ミズゴケ栽培基Ｂの円柱部分に、この円柱の高さと等しい幅を有する柔軟性を有するテープ状の素材（例えば、フェルトテープ等）Ｂ１を螺旋状に巻き付けた状態として、これを上記部材とすることも可能である。この形態では、巻き付けられたテープ状素材Ｂ１の一側面（上面）により、増設平面Ｂ１１が形成される。
【０１１１】
また、好適には、本ミズゴケ浄化方法における、乾燥ミズゴケの集合物（主に第１の形態の特定ミズゴケ栽培基）の凹部、または、器物の凹部（主に第２の形態の特定ミズゴケ栽培基）の生長ミズゴケ側の開口部と実質的に連続した平面および/または曲面を構成する部材の外延部に、当該外延部との螺旋止めによる螺合、当該外延部に設けられた係合用の構造（例えば、外延部の底部から外側に突出させた状態で設けた係合用の突起）による係合、外延部と接触した状態で載置する衝合、外延部に設けられた凹凸構造に嵌め込むことによる嵌合、接着剤による接着等の係止手段（この係止手段は特に限定されない）により、接触した状態で固定することにより、この平面および/または曲面と、さらに連続した平面および/または曲面を形成することができる部材を例示することができる。例えば、第１０図（２）のように、テーパーを有する四角柱形状の特定ミズゴケ栽培基Ｃの四側面それぞれのテーパーに対して衝合可能で、高さが、特定ミズゴケ栽培基Ｃの高さに等しい、四角柱形状の部材Ｃ１〜Ｃ４を衝合させることで、部材Ｃ１〜Ｃ４の一側面（上面）Ｃ１１〜Ｃ４１により、増設平面が形成される。なお、部材Ｃ１〜Ｃ４においては、上面Ｃ１１〜Ｃ４１と、その底面を連絡する貫通口（Ｃ１１１〜Ｃ４１１）が設けられおり、かつ、その貫通口には、吸水材が充填されている。吸水材としては、上述したように、乾燥ミズゴケ、生長ミズゴケ、スポンジ、砂、吸水性樹脂、海綿等を挙げることができるが、優れた揚水力と経済性を考慮すると、乾燥ミズゴケが好適である。第１０図（３）は、（２）の平面増設を、多重に行った形態を模式的に示した図面である（特定ミズゴケ栽培基Ｃと吸水材は省略）。この第１０図（３）に示すように、増設用部材Ｃ５の外側にＣ６を、さらにその外側にＣ７を、順次衝合させることにより、生長ミズゴケの繁茂に対応して、増設平面を増加させることができる。また、第１０図（４）のように、第１０図（１）の特定ミズゴケ栽培基Ｂのごとく、形状が円柱状の場合には、その外延部にリング状の増設用部材Ｃ８、Ｃ９を順次衝合させて、増設平面を増加させることができる。
【０１１２】
第１１図は、第１０図（２）〜（４）に示すように、増設用部材を用いて増設平面を設けた、本ミズゴケ浄化システムの一部の縦断面を示した図面である。第１１図（１）の状態に至る典型的な過程として、特定ミズゴケ栽培基Ｄの生長ミズゴケ（定形化された乾燥ミズゴケは図示せず）Ｄ１を、下方の浄化対象水（図示せず）からの浸潤水により養生して、特定ミズゴケ栽培基Ｄにおいて設けてある。生長ミズゴケＤ１の増殖の場としての平面Ｄ２において、生長ミズゴケＤ１が、上述したブルト形態に伴う増殖サイクルにより、十分に繁茂した段階で、増設用部材Ｄ３を、特定ミズゴケ栽培基Ｄの外延に衝合させて、これにより形成される、平面Ｄ２と連続した平面Ｄ４において、さらに、生長ミズゴケＤ１を増殖させる。増設用部材Ｄ３には、吸水材として乾燥ミズゴケを充填した貫通口Ｄ３１、Ｄ３２が設けられている。これらの貫通口の乾燥ミズゴケが、浄化対象水を上部まで揚水して、増殖しつつある生長ミズゴケＤ１と接触することにより、この生長ミズゴケＤ１に水分を供給して、増殖を促進する。さらに、生長ミズゴケＤ１の増殖程度に応じて、増設用部材Ｄ３の外延部に、さらなる増設用部材Ｄ５を衝合させて、さらに、増設平面を拡大することができる。また、この増設平面の拡大は、外側に向けて順次行うことができる。また、この例においては、増設用部材Ｄ３とＤ５の衝合部には乾燥ミズゴケＤ６が充填されており、この乾燥ミズゴケＤ６は、前記の貫通口Ｄ３１、Ｄ３２に充填された乾燥ミズゴケと同様に、生長ミズゴケＤ１に浸潤水を供給することができる。また、増設用部材Ｄ５には、貫通口Ｄ５１、Ｄ５２が設けられており、生長ミズゴケＤ１に浸潤水を供給するために、乾燥ミズゴケが充填されている。また、これらの貫通口Ｄ５１、Ｄ５２のように、生長ミズゴケ近傍の断面積が、浄化対象水近傍の断面積よりも広くして、乾燥ミズゴケを貫通口から脱落しにくくすることも可能である。また、貫通口Ｄ５１、Ｄ５２の断面積の変更部の広口側の底部に、小さい凹部Ｄ５０１[第１１図（２）]を設けて、この凹部に浸潤水をため込むようことができるようにすることが好適である。
【０１１３】
また、生長ミズゴケＤ１の繁茂を緩和する場合には、増設用部材Ｄ５の外延部に沿って、隔壁Ｄ７を設けることが好適である。このようにすることで、生長ミズゴケの外側への伸張をトラップして、その結果、上記の増殖サイクルをストップさせることができる。
【０１１４】
本浄化方法は、例えば、以下のような態様で用いることができる。
【０１１５】
１）特定ミズゴケ栽培基を、浄化対象水に載置することにより、本浄化方法を行う態様
この態様は、浄化対象水と、１個以上の特定ミズゴケ栽培基における、生長ミズゴケの露出部分と異なる部分との接触が、浄化対象水におけるミズゴケ栽培基の「載置」により行われることを特徴とする、本浄化方法の態様である。
【０１１６】
ここで、「載置」とは、文字通り、特定ミズゴケ栽培基（例えば、２０Ａ、２０Ｂ、２５、３０Ａ、３０Ｂ、３０Ｃ）を、所定の場所に置いて、本浄化方法を行うことを意味するものであるが、例えば、地面やコンクリート面に穴を設けて、その穴の中に、特定ミズゴケ栽培基を設けることも、「載置」に含めるものとする。
【０１１７】
この態様では、例えば、特定ミズゴケ栽培基を、特定ミズゴケ栽培基の生長ミズゴケの部分には、水が恒常的に被らないように条件設定を行うことが好適である。典型的には、浄化対象水の水位を、載置するミズゴケ栽培基の高さよりも低く保つ条件設定が挙げられる。
【０１１８】
最も単純には、例えば、第１２図（１）（縦断面図）に示すように、処理対象水４１を入れておくことができる場の底面４２に載置されるミズゴケ栽培基４３の高さよりも低い水位で処理対象水を入れ、この程度の水位を保つように、水の管理を行うことで、この態様の本浄化方法を行うことができる。この水の管理は、定期的に目視で点検して、注水口４４から、処理対象水を注ぎ足すことも可能であるが、水位計等により、水位の減少を自動的に感知する機構、例えば、水位センサーをシステム中に付加して、水位の減少時に自動的に水を注ぎ足すようにすることが好適である。  また、第１２図（２）（縦断面図）のように、複数のミズゴケ栽培基４３の間の間（ここが、生長ミズゴケの増殖の場としての平面に該当する）に、砂礫等の透水可能な無機細物４６を、ミズゴケ栽培基の高さ程度に敷き詰め、この無機細物４６中に、第１２図（１）に示したものと同じく、好適には、水位を保つ機構（本図においては、側板４５に、水位調整弁４５１、４５２が設けられている）を付加して、いわば、帯水層が確保されている人工的な湿地と同様の状態を保つことも好適である。上記の無機細物が配置された部分は、生長ミズゴケの生長部を含む部分が、本浄化方法において養生され、生長すべき空間に接する実質部分である。
【０１１９】
第１２図（３）は、好適には、発泡スチロール等の軽質素材を用いた型４７０の表面を、前述した、「事後的に硬化し、かつ、固化前は粘調な液体素材」（本図では「液体素材」という）を用いて、自然の風合いとした器物４７の製造工程を示している。第１２図（３）-１は、型４７０の裏面４７０１を上にして表現した図面であり、第１２図（３）-２は表面４７０２（ここが、生長ミズゴケの増殖の場としての平面に該当する）を上にして表現した図面である。第１２図（３）-１において、裏面４７０１には、中央部に表面４７０２とを結ぶ貫通穴４７０１１が設けられ、その周囲に、複数の非貫通穴４７０１２が設けられ、裏面４７０１表面上には、貫通穴４７０１１と非貫通穴４７０１２相互を結び、４７０の側面に通じている溝４７０１３が設けられている。第１２図（３）-１の型４７０を倒置した、第１２図（３）−２の型４７０においては、溝４７０１３は、型４７０の側面において開口した状態となる。次いで、型４７０の表面４７０２の上に、液体素材を塗布して、刷毛状とした針金４７０１４で表面をたたいて毛羽立たせ、その上に土等の土４７０１５を振りかけて［第１２図（３）-３］、表面を均して、その上から防水材を上層することにより、表面が自然の土に近似した風合いを有する器物４７を製造することができる。また、器物４７は、貫通穴４７０１１が１つであるが、複数とすることも可能である。なお、器物４７における型４７０としては、例えば、複数の貫通穴が設けられている薄板を複数枚積層固定してなる型や、多数の粒子を集積固定して、所定の形状としてなる型（ただし、いずれの型も、積層や集積の結果として、上記の貫通穴４７０１１に相当する貫通穴を設けることが必要である）とすることも可能である。この器物４７の貫通穴４７０１１に、例えば、特定ミズゴケ栽培基２０Ｂ（第４図）の茎部を、好適には圧縮して嵌め込むことにより、器物と生長ミズゴケが一体となった特定ミズゴケ栽培基を製造することができる。なお、貫通穴４７０１の裏面側を、プラスチックネット等の透水板で塞ぐことにより、特定ミズゴケ栽培基２０Ｂの裏面からの脱落を防ぐことが好適である。
【０１２０】
この、「載置」する態様は、様々な環境における水の浄化に用いることができる。例えば、ａ）屋上における使用、ｂ）休耕田における使用、ｃ）屋内における使用等に、この「載置」する態様を用いることができる。
【０１２１】
ビルの屋上等で、「載置」する態様を行う場合には、例えば、第１３図のような、ミズゴケ栽培用の人工圃場を用いる態様が、典型的態様の一つである。
【０１２２】
第１３図の人工圃場６０においては、i)底部６１１に遮水手段が施され、側部６１２が、透水手段である通水口６１３が設けられた部材で構成され、かつ、上面が開放されている立体領域内に帯水材である砂礫６１４が配置されている、帯水部６１と、ii）浄化対象水６２が帯水部６１の側部の全部または一部と接触し、この側部に施された通水口６１３を介して、浄化対象水６２が帯水部６１に対して浸潤するように、浄化対象水６２を貯留することが可能な貯水部６３が設けられている。浄化対象水６２の流入により、常に、砂礫６１４は帯水するように、かつ、砂礫６１４の上には、浄化対象水６２が被らないように、帯水部６１と貯水部６３の水位は、水位センサー等で調節されている。また、人工圃場６０を設置箇所において水平に保つための、高さの調整機構（例えば、貯水部６３の底面の四隅に、各々独立して高さを調整可能な脚等）を設けることが好適である。この人工圃場６０における、生長ミズゴケの増殖を行う場としての平面は、砂礫６１４の上面部分である。なお、貯水部６３の素材は、特に、限定されず、コンクリート、プラスチック、木材、石（人工大理石等）等を広く例示できるが、特に、ＦＲＰ、ＧＭＴ等のガラス繊維等で強化されたプラスチックが、軽量で壊れにくく、成形加工も容易であり、好適である。
【０１２３】
この人工圃場６０の砂礫６１４中に、特定ミズゴケ栽培基を生長ミズゴケの部分が露出するように、例えば、６１５で示された部分に埋め込み、または、載置することにより、本浄化方法を行うことができる。
【０１２４】
また、第１３図の人工圃場６０の帯水部６１を除いた、貯水部６３に、浄化対象水６２を貯留して、その中に、種々の特定ミズゴケ栽培基（例えば、２０Ａ、２０Ｂ、２５、３０Ａ、３０Ｂ、３０Ｃ）を載置して、浄化対象水６２の水位の管理を行うことにより、本浄化方法を行うことができる。
【０１２５】
ｂ）休耕田における使用
この態様は、農業振興地域において、富栄養化した水の処理の一環として、休耕田において、本浄化方法を行う態様である。浄化対象水の供給は、本来水田に用いられ得る水路を転用することが可能である。
【０１２６】
すなわち、この態様では、例えば、休耕田６００に、第１３図に示したと同様の、人工圃場６０を構築し、浄化対象水６３の水は、水門６３１が設けられている貯水池６３２が水源の、水田用の用水路６３３から引水することができる（第１４図：縦断面図）。
【０１２７】
ｃ）屋内における使用
ミズゴケにとって必要な光合成量が確保可能な日照等の光条件下であれば、本浄化方法を屋内においても行うことができる。
【０１２８】
２）特定ミズゴケ栽培基を、浄化対象水の底部よりも上に配置することにより、本浄化方法と、本浄化システムを行う態様
この態様は、浄化対象水と、１個以上の特定ミズゴケ栽培基における、生長ミズゴケの露出部分と異なる部分との接触が、ミズゴケ栽培基を、浄化対象水の底部よりも上に配置することが可能な機構による配置により行われることを特徴とする、本浄化方法または本浄化システムの態様である。
【０１２９】
この態様は、浄化対象水を、ある程度、外部から遮断をする場合において、好適に用いることができる。ミズゴケ栽培基を、浄化対象水の底部よりも上に配置することが可能な機構（以下、懸垂機構ともいう）は、ミズゴケ栽培基を、懸垂力等により、浄化対象水の底部から分離することができる機構である。
【０１３０】
第１５図（１）（２）（縦断面図）は、浄化対象水の流通が可能な管状物に懸垂機構を設けて、浄化対象水を流通させつつ、当該水の浄化を行う態様について示した図面である。このような態様の流通管は、例えば、単純にこの管に浄化対象水を直接流通させることにより当該流通水を浄化することも可能であり、例えば、複数の水貯留タイプの「水処理部」間を連結させることにより水の浄化を行う態様において、これらの水処理部の連結パイプとして、この態様の流通管を用いることも可能である。
【０１３１】
第１５図（１）は、流通管７０の長手方向に連続溝７０１を設けて、この連続溝７０１を懸垂機構として、複数の特定ミズゴケ栽培基７２のまとまった状態の生長ミズゴケの茎部が存在する部分７１１を嵌め込んで、この７１１と流通管７０を流通する浄化対象水７３を接触させることにより、当該流通水７３の浄化処理を行うことができる態様である。第１５図（２）は、連続溝７０１に代えて、はめ込み穴７０２を、流通管７０’の長手方向に沿って設けて、このはめこみ穴７０２に、上記７１１を嵌め込む態様である。この態様においても、流通水７３’の浄化処理を行うことができる。
【０１３２】
なお、これらの態様の場合、茎部に相当する部分７１１を、例えば、第１５図（３）に示すような、円筒状の金網型部材７１３に嵌め込んで、第１５図（４）に示すように定形化を行うことも可能であり、第１５図（５）に示すような、有孔の円筒状部材７１４に嵌め込んで、第１５図（６）に示すように定形化を行うことも可能である。第１６図は、水７４’を入れた箱形の水槽７１３’（水浄化部）の縁に対して、嵌め込み固定が可能な、複数の嵌め込み口７１２’と、小孔７１８’を設けた、蓋型の懸垂機構７１’を、水槽７１３’の縁に対して嵌め込み固定を行い、各嵌め込み口７１２’には、それぞれ、特定ミズゴケ栽培基７２’を、上記の要領で嵌め込み、各特定ミズゴケ栽培基７２’同士の間を、砂礫７５で埋めた態様を示した図面である。この砂礫７５を配置した平面７５０が、生長ミズゴケ７２’が増殖する場としての平面に該当する。このように、本態様においても、複数のミズゴケ栽培基の養生を行うことが可能である。
【０１３３】
このような、「懸垂する」態様の、本浄化方法や本浄化システムは、浄化対象水の蒸散を、蓋のような密閉性を与え、抑制することができる。そして、この態様は、上記の態様の使用に適している。
【０１３４】
３）特定ミズゴケ栽培基を、浮力により、浄化対象水面近傍に浮上させることにより、本浄化方法と、本浄化システムを行う態様
この態様は、浄化対象水と、１個以上の特定ミズゴケ栽培基における、生長ミズゴケの露出部分と異なる部分との接触が、特定ミズゴケ栽培基を、浮力により水面近傍に浮上させることが可能な機構により行われることを特徴とする、本浄化方法である。
【０１３５】
「浮力により水面近傍に浮上させることが可能な機構」は、水よりも比重が小さい素材や器具を用いた機構が好適である。素材としては、発泡スチロール、木材等を用いることができる。器具としては、浮き球、浮き輪等の、空気等のガスを大量に含む器具を挙げることができる。
【０１３６】
例えば、第１７図（１）（縦断面図）は、浄化対象水８１をたたえた、排水口８２１付きの水槽８２の中に、発泡スチロール製の外枠８３１と、網状体製の底部８３２が設けられた、低比重の容器８３の底部８３２上に、特定ミズゴケ栽培基８４を多数載置したものを静置した状態を示した図面である。低比重容器８３は、その水に対する浮力により、浄化対象水８１の水面において浮上しており、特定ミズゴケ栽培基８４の葉部と枝部近傍は、浄化対象水８１を被らずに、茎部に相当する部分のみが水中に没している。この状態を維持することにより、ミズゴケ栽培基８４における生長ミズゴケの養生を行うことができる。外枠８３１の上面が、特定ミズゴケ栽培基８４における生長ミズゴケを増殖させる場としての平面に該当する。なお、低比重容器８３の浮力が足りない場合は、必要に応じて、発泡スチロールを付加可能にしておく（８３１１）ことが好適である。また、発泡スチロールに代えて、または、組み合わせて、浮き球等を用いることもできる。また、第１７図（２）のように、発泡スチロールの板８５に、複数の貫通口８５１を設けて、ここに、特定ミズゴケ栽培基８４を嵌め込んで、そのミズゴケの茎部に相当する部分を浄化対象水８１に接触させて、浄化対象水８１の浄化処理を行い、さらに特定ミズゴケ栽培基の、生長ミズゴケの養生を行うことも可能である。この態様において、発泡スチロールの板８５の上面が、特定ミズゴケ栽培基８４における生長ミズゴケを増殖させる場としての平面に該当する。
【０１３７】
この「浮上」態様の、本浄化方法は、ａ）屋上や屋内における使用、および、ｂ）ダム湖面（人造湖面）やため池面における使用に適している。特に、ダム湖面（人造湖面）やため池面における使用は、この態様の最も有望な使用態様の一つである。すなわち、ダム湖面（人造湖面）やため池面において、この態様の使用を行うことで、当該湖等における大規模な水の浄化を行うことが可能である。なお、この態様では、湖面等をミズゴケの浮遊圃場で被覆し、水分の蒸発を低下させることが可能であり、ミズゴケの栽培自体を、水分の補給なしに行うことが可能である。
【０１３８】
第１８図は、この「浮上」態様の大規模な実施態様を概念図として示したものである。第１８図（１）は、ダム湖等８１における浮上単位８２の拡大概念図であり、第１８図（２）は、全体概念図である。筏様の浮上単位８２Ａ、Ｂ，Ｃ、Ｄ・・・は、木枠８２１で区切られ補強されており、各々のブロック８２２Ａ、Ｂ，Ｃ・・・の底部は、網状体（図示せず）が強固に張られることにより構成されている。かかる各ブロックの上に、さらに、底部に網状体が張られている、木や、発泡スチロール等の軽量素材製の枠単位８２３Ａ、Ｂ・・・の中に、特定ミズゴケ栽培基８２４が、成長点側を上にして載置されており、これが、各ブロック８２２Ａ、Ｂ，Ｃ・・・上に、ピン８２５で係止されつつ、載置されている。浮上単位８２Ａ、Ｂ，Ｃ・・・は、湖岸とワイヤーロープ８３Ａ、Ｂ，Ｃ・・・で連結されており、さらに、これらのワイヤーロープの浮上単位側の連結部８３１を経た先端には、浮き球８３２が付加されており、浮上単位８２の浮力の向上が図られている。また、浮上単位８２同士は、筏状の通路８３３で連結されており、作業者等が、筏間を容易に移動することができるようになっている。このようにして、複数の筏様の浮上単位８２が、湖水８４上に浮いた状態が保たれている。
【０１３９】
この第１８図に示される状態を保つことにより、ダム湖８１上において、当該湖水の浄化処理を行うことが可能である。
【図面の簡単な説明】
【０１４０】
【図１】生長ミズゴケの外観を示した図面である。
【図２】基本的な態様の特定ミズゴケ栽培基の製造工程等の一例を示した図面である。
【図３】基本的な態様の特定ミズゴケ栽培基の製造工程等の他の例を示した図面である。
【図４】２単位以上の生長ミズゴケを用いる、基本的な態様の特定ミズゴケ栽培基の製造工程等の一例を示した図面である。
【図５】２単位以上の生長ミズゴケを用いる、基本的な態様の特定ミズゴケ栽培基の製造工程等の他の例を示した図面である。
【図６】器物を用いる態様の、特定ミズゴケ栽培基の製造工程等の一例を示した図面である。
【図７】器物を用いる態様の、特定ミズゴケ栽培基の製造工程等の他の例を示した図面である。
【図８】積極的なデザインの器物を用いる態様の、特定ミズゴケ栽培基の製造工程等の例を示した図面である。
【図９】凹部近傍でブルトを形成した生長ミズゴケが、加速度的に増殖する過程を図示した模式図である。
【図１０】増設用部材を用いた特定ミズゴケ栽培基の態様を示した図面である。
【図１１】増設用部材を用いて増設平面を設けた、特定ミズゴケ栽培基の一部の縦断面を示した図面である。
【図１２】予め、存在する地面やコンクリート面に穴を開けて、そこに、事後的に特定ミズゴケ栽培基を設ける態様を示した図面である。
【図１３】本浄化方法の一態様を示した図面である。
【図１４】休耕田等において、本栽培システム等を用いる態様の一例を示した図面である。
【図１５】特定ミズゴケ栽培基を、懸垂機構を用いて、浄化対象水が存在する場の底部よりも上に配置することにより、本栽培システム等を行う態様を示した図面である。
【図１６】懸垂機構を用いた例の別の態様の一例等を示した図面である。
【図１７】特定ミズゴケ栽培基を、浮力により、浄化対象水が存在する場の水面近傍に浮上させることにより、本栽培システムを行う態様の例を示した図面である。
【図１８】特定ミズゴケ栽培基を、浮力により、浄化対象水が存在する場の水面近傍に浮上させることによる、本栽培システムの大規模な実施例を示した図面である。
【図１９】本浄化システムの２つの態様を例示した図面である。
【図２０】「浄化処理部」に浄化処理対象水を循環させるための水循環機構が設けられている本浄化システムの態様を示した図面である。
【図２１】本浄化システムにおいて、浄化対象水または浄化処理水を、他の水浄化手段により浄化処理する機構が設けられている態様を示した一図面である。
【図２２】本浄化システムにおいて、浄化対象水または浄化処理水を、他の水浄化手段により浄化処理する機構が設けられている態様を示した他図面である。
【図２３】本浄化システムにおいて、浄化対象水または浄化処理水を、他の水浄化手段により浄化処理する場合の工程の一例について示した図面である。
【図２４】本発明の実験システムの全体像を示した図面である。
【図２５】本浄化システムを用いて、ミズゴケによる全窒素（N）および全リン（P）の浄化能力を検討した結果を示す図面である。
【発明を実施するための最良の形態】
【０１４１】
＜本浄化システムについて＞
ここで、本発明を実施するための最良の形態として、本発明の水浄化システム（本浄化システム）について説明する。上述したように、本浄化システムは、浄化対象水を、「浄化処理部」に導入して、当該浄化処理部おいて浄化処理を行う場合の本浄化方法の態様である。【０１４２】
具体的に、本浄化システムは、浄化処理対象水を、「浄化処理部」に導入することが可能な「水導入機構」と、浄化処理後の前記浄化処理対象水を外部に排出することが可能な「水排出機構」が設けられており；
前記浄化処理部には、１個以上の特定ミズゴケ栽培基が、当該浄化処理部における浄化対象水上における浮上、当該浄化処理部の底部よりも上に前記生長ミズゴケの栽培基を配置することが可能な機構による配置、または、当該浄化処理部内における載置、により、前記生長ミズゴケの栽培基における乾燥ミズゴケの集合物が、前記「水導入機構」から導入される浄化対象水と接触して吸水することが可能となっており；
当該乾燥ミズゴケに吸水された浄化対象水が、前記特定ミズゴケ栽培基の生長ミズゴケに接触して、浄化対象水の中の浄化対象物質が当該生長ミズゴケにより同化されることにより浄化される浄化処理水を、前記「水排出機構」から排出することを特徴とする、上記本浄化方法を行うための水浄化システムである。【０１４３】
第１９図は、本浄化システムの２つの態様を例示した図面である。【０１４４】
第１９図（１）は、１箇所の水槽状の「浄化処理部」を備えた本浄化システムＥ１を示した図面である。本浄化システムＥ１には、水を貯留することが可能な水槽状の浄化処理部Ｅ１０、水導入機構Ｅ１１、水排出機構Ｅ１２が設けられており、水導入機構１１は、浄化対象水貯留部Ｅ１３に貯留された浄化対象水Ｅ２を、例えば、浄化処理部Ｅ１０に設けられた水位センサーによって、浄化処理部Ｅ１０における浄化対象水Ｅ２の水位が一定以下になった場合に、バルブが開き、浄化対象水貯留部Ｅ１３に貯留された浄化対象水Ｅ２を、連結管Ｅ１１１を介して、浄化処理部Ｅ１０に導入することができる。この浄化処理部１０には、浮上タイプの特定ミズゴケ栽培基Ｅ１４が複数配置されており、浄化処理部Ｅ１０において貯留された浄化対象水Ｅ２の水面上に浮上している状態が保たれている。【０１４５】
上述した原理によって、浄化対象水Ｅ２が、特定ミズゴケ栽培基Ｅ１４における生長ミズゴケの同化作用により浄化処理される。このようにして、浄化処理された浄化対象水Ｅ２を、浄化程度を感知するセンサーＥ１５（例えば、水中のリン酸イオンが一定値よりも少なくなった場合に反応するセンサー）において、感知した場合に、水排出機構Ｅ１２のバルブが開き、浄化対象水Ｅ２を、排出管Ｅ１６を介して浄化処理水Ｅ３として外部に排出することにより、本浄化システムによる水浄化が完了する。【０１４６】
なお、浄化対象水または浄化処理水を、他の水浄化手段により浄化処理する機構が設けられていてもよい。例えば、浄化対象水貯留部Ｅ１３に、他の水浄化手段、例えば、窒素固定菌による脱窒素機構を備え付けて、当該脱窒素機構で原水を処理して、脱窒素工程を行い、この脱窒素処理水を、本浄化システムＥ１による浄化対象水Ｅ２とすることも可能である。このような態様をとることにより、上記脱窒素工程により効率的に原水における窒素化合物が除去され、浄化処理部Ｅ１０においてリン酸イオンが効率的を除去して、容易に、理想的な水浄化を行うことができる。【０１４７】
第１９図（２）は、上記の単一の浄化処理部Ｅ１０に代えて、それぞれ、１個以上の特定ミズゴケ栽培基Ｅ２０１１〜Ｅ２０４１が配置されている、複数の浄化処理部Ｅ２０１〜Ｅ２０４が設けられた態様の実施態様である。浄化処理部Ｅ２０１〜Ｅ２０４は、浄化対象水貯留部Ｅ２３から見て、Ｅ２０１が最上流の浄化処理部であり、以下、Ｅ２０２、Ｅ２０３、Ｅ２０４と続き、Ｅ２０４が最下流の浄化処理部である。Ｅ２０１〜Ｅ２０３は、高低差により、浄化対象水Ｅ４を一定水位に保ちつつ、浄化処理水Ｅ４を下流側に移動させることができる。また、Ｅ２０３とＥ２０４は、互いに水平の位置にあり、例えば、第１９図（１）の感知センサーＥ１５を用いた方式と同様の方式を利用して、浄化対象水Ｅ４の水流通管Ｅ２０３１を介して移動が可能となっている。浄化対象水Ｅ４は、上流から下流側の浄化処理部（Ｅ２０１〜Ｅ２０４）に移動するにつれて、それぞれの浄化処理部に配置されている特定ミズゴケ栽培基Ｅ２０１１〜Ｅ２０４１によって浄化処理を受けて、段階的に浄水化されて、最終的に、水排出機構Ｅ２１から排出管Ｅ２２を介して浄化処理水Ｅ５として外部に排出することにより、本浄化システムＥ６による水浄化が完了する。【０１４８】
このように、本発明は、複数の「浄化処理部」が設けられ、かつ、上流の「浄化処理部」に設けられている「水排出機構」と、下流の「浄化処理部」に設けられている「水導入機構」が、水流通可能な機構により連結されており、上流の「浄化処理部」において浄化された浄化対象水が、下流の「浄化処理部」において、再び浄化対象水として浄化処理が施され、このような多段的浄化処理が、設けられた各「浄化処理部」において行われ、最下流の「浄化処理部」の「水排出機構」から排出される水を浄化処理水とする態様の、本浄化システムが提供される。【０１４９】
第２０図は、「浄化処理部」に浄化処理対象水を循環させるための水循環機構が設けられている本浄化システムの態様を示した図面である。【０１５０】
例えば、第２０図（１）に示すように、浄化処理部Ｆ１０において、当該浄化処理部の枠内において折れ曲がった水路Ｆ１０１が設けられ、当該水路Ｆ１０１において、水導入機構Ｆ１１から導入された浄化処理対象水Ｆ１０１が、排水機構Ｆ１２を通過することによって生ずる水流が、この水路Ｆ１０１内に連続的に配置された、複数の特定ミズゴケ栽培基Ｆ１３に接触することにより、上述した原理により、順次浄化処理が行われ、排水機構Ｆ１２から排出される水は、浄化処理水として扱うことが可能である。【０１５１】
すなわち、この態様は、水循環機構が、水路において水を循環させる機構であり、かつ、当該水路において、特定ミズゴケ栽培基の乾燥ミズゴケの集合物に浄化対象水に接触させることが可能である態様の水浄化システムである。【０１５２】
また、第２０図（１）の水路Ｆ１０１に代えて、閉じられた水路Ｆ１０２として、前記の水路Ｆ１０１と同様に、水導入機構Ｆ２１における水の導入により水流を発生させて、この閉じられた水路Ｆ１０２を循環させて、複数の特定ミズゴケ培養基Ｆ２３に、浄化処理対象水Ｆ２０１を循環水として接触させて、順次浄化処理された水が、排水機構Ｆ２２から排出される態様である。すなわち、この態様は、前記第２０図（１）の水路が閉じられた水路であることを特徴とする、本浄化システムの態様である。【０１５３】
第２１図〜第２２図は、本浄化システムにおいて、浄化対象水または浄化処理水を、他の水浄化手段により浄化処理する機構が設けられている態様の本浄化システムの一実施例Ｇ１０〜Ｈ１０を示している。このような態様においては、本浄化システムの本質的部分が、「他の水浄化手段により浄化する機構」の上方に設けられていることが、省スペース等の効率を鑑みると好適である。【０１５４】
第２１図に示す、好適には屋根Ｇ１７付きの本浄化システムＧ１０においては、他の水浄化手段（例えば、微生物による脱窒素処理機構）が内蔵されている水処理タンクＧ１に原水Ｇ１１が導入され、ここで第１の浄水処理を施された処理水Ｇ１２が、揚水ポンプＧ２を水導入機構として、特定ミズゴケ栽培基Ｇ２１が配置されている本発明に係る第１の浄化処理部Ｇ３に導入され、上述した原理により、さらに浄水処理が施され、第２の浄化処理が施された処理水Ｇ１３として、貯留タンクＧ４に貯留され、好ましくは、この貯留タンクＧ４についても第３の浄水処理（例えば、第１の処理で用いた微生物とは異なる微生物による脱窒素処理）が行われ、これを第３の浄化処理が行われた処理水Ｇ１４として、再び、水導入機構である揚水ポンプＧ５を介して、特定ミズゴケ栽培基Ｇ２２が配置されている本発明に係る第２の浄化処理部Ｇ６に導入され、上述した原理により、さらに浄水処理が施され、第４の浄化処理が行われた処理水Ｇ１５として、排水パイプＧ７を介して、水貯留槽Ｇ８に貯留される。さらに、第２１図に示したように、処理水Ｇ１５を、さらに、本発明に係る第３の浄化処理部Ｇ９（特定ミズゴケ栽培基Ｇ２３が配置されている）による処理を行い、処理水Ｇ１６として得ることも可能である。なお、ここに挙げた、各水浄化処理部（水貯留部）は、互いに、水の流通が可能な流通管によって連絡している。【０１５５】
第２２図においては、他の水浄化手段により処理された原水Ｈ１１を貯留するための水槽Ｈ２の上方に、特定ミズゴケ栽培基Ｈ３１〜Ｈ３４が配置されている本発明に係る浄化処理部Ｈ３（Ｈ３１〜Ｈ３４の小単位の水槽が相互に導水パイプＨ３１１〜Ｈ３１３で連結されている。Ｈ３１〜Ｈ３４へは、微小な下方への傾斜が設けられており、Ｈ３４から外部への排水パイプＨ３１４が設けられている）が設けられている本浄化システムＨ１０が記載されている。浄化処理部Ｈ３は、水槽Ｈ２の隔壁Ｈ４〜４’の上に載置固定された支柱Ｈ４１〜Ｈ４２と、その上に設けられた床板Ｈ４３の上に載置・固定されている。他の水浄化手段により処理され、水槽Ｈ２に貯留された原水Ｈ１１は、揚水ポンプＨ２を水導入機構として、揚水パイプＨ２１〜Ｈ２２を介して、浄化処理部Ｈ３の小単位水槽Ｈ３１に導入される。小単位水槽Ｈ３１に導入された原水Ｈ１１は、特定ミズゴケ栽培基Ｈ３１により浄化されつつ、導水パイプ３１１を介して、小単位水槽Ｈ３２に導入され、さらに、特定ミズゴケ栽培基Ｈ３１により浄化される。同様の工程を繰り返して、小単位水槽Ｈ３４に導入され、特定ミズゴケ栽培基Ｈ３４により浄化された水が、排水パイプＨ３１４を介して外部へと排出される。【０１５６】
ここに示した本発明に係る浄化処理部と他の水浄化手段との組み合わせは例示であり、原水の性質（汚染度等）や、要求される浄化度合いに応じて自由に組み合わせることが可能である。【０１５７】
第２３図に、本浄化システムにおいて、特定ミズゴケ栽培基と接触させることにより浄化する対象となる処理水の例を示す。第２３図において、原水（下水）を、通常の水処理工程Ａ（調整槽〜中和槽における浄水工程）に処して得られた水を、ばっ気槽〜滅菌槽（囲い線Ｂ）のいずれかの槽の水面上層、又は、この囲い線Ｂの微生物処理の過程を全て終了して得られた放流水を、本浄化システムの浄化対象水とすることが好適である（矢印α、β→囲い線Ｃ）。
【実施例】
【０１５８】
実施例として、本浄化システムを用いて、ミズゴケによる全窒素（N）および全リン（P）の浄化能力を検討した。【０１５９】
１．緒論（目的）
ミズゴケがもつ浄化能力を調べるため、一般生活排水を用いて試験を行った。
全窒素の測定には、ペルオキソ二硫酸カリウムを酸化剤とし、アルカリ性で加熱して、試料中の窒素化合物を硝酸イオンとした後、溶液を酸性とし、硝酸イオンによる紫外部の吸収を測定して、作成した検量線により試料中の窒素を定量した。【０１６０】
全リンの測定には、試料に酸化剤としてペルオキソ二硫酸カリウムを加え、オートクレーブで120℃、30分加熱し、リン化合物をリン酸イオンとした後、作成した検量線により定量した。【０１６１】
２．実験方法
ミズゴケを用いた浄化測定
一般生活排水を嫌気性浄化処理、好気性浄化処理を経た後、ミズゴケ（特定ミズゴケ栽培基）を設置した実験装置を直列に５つ連結させたものを用いた。ここで直列につないだミズゴケの装置を上流から順に１〜５とする。ミズゴケ装置１〜５は全て同じ構造をしており、各装置には２リットルの処理水が入るように調整してあり常に２リットル/1時間の流速で水が流れる状態を保持した（第２４図：この実験システムの全体像である。向かって左奥の特定ミズゴケ栽培基が収納された箱が上記装置１であり、同奥中央が同装置２であり、同奥右が同装置３であり、向かって右手前の特定ミズゴケ栽培基が収納された箱が上記装置４であり、同左が同装置５である。上述のように、生活排水がビニール管を通じて装置１に供給され、以後、装置２→３→４→５と循環した後、装置５から、最終的な浄化処理水として排出される。）。水の流通開始から２４時間後における、a)処理前、b)嫌気性処理後、c)好気性処理後、d)装置１による処理後、e)装置５による処理後、の水を試料としてサンプリングした。【０１６２】
全N測定
試料50mlを分解瓶にとり、水酸化ナトリウム−ペルオキソ二硫酸カリウム溶液10mlを加え、直ちに密栓した後、混合した。そして、オートクレーブに入れて加熱し、約120℃に達してから30分間加熱分解を行った。オートクレーブ終了後、分解瓶をオートクレーブから取り出し、放冷し、上澄み液25mlをビーカーに分取して、塩酸（1：16）を５ml加えて溶液のpHを2〜3に調整した。調整した溶液はセルに移して、波長220 nmにおける吸光度を測定した。【０１６３】
全P測定
試料50mlを分解瓶に取り、ペルオキソ二硫酸カリウム溶液(40g/l)10mlを加え、直ちに密栓した後、混合した。そして、オートクレーブに入れて加熱し、約120℃に達してから30分間加熱分解を行った。オートクレーブ終了後、上澄み液25mlを共栓試験管に分取し、モリブデン酸アンモニウム−アスコルビン酸混合溶液2mlを加えて振り混ぜ、20〜40℃で約15分間放置した。【０１６４】
１５分後、溶液を吸収セルに移して、波長880 nmにおける吸光度を測定した。【０１６５】
３．結果および考察
全Nおよび全Pの測定結果を表１と、第２５図[（１）：全窒素量、（２）：全リン量]に示す。【０１６６】
【表１】
2005081641.tif 000002
【０１６７】
窒素においては、ミズゴケの浄化は３％程度減少していたのに対し、リンの浄化率は20％以上の減少であった。【０１６８】
前述したように、微生物を用いた既存の浄化槽を用いた浄化では、排水基準値以下までPを減少させるのは難しく、化学処理により沈殿させて浄化させているのが現状である。本結果は、従来の微生物処理では、減少効率を期待できないNおよびPを大幅に減少させる効果を示した。【０１６９】
なお、この生活排水の流通を１ヶ月間続けた結果、各特定ミズゴケ栽培基の生長ミズゴケは、実験開始当初と比較しても勢い良く葉茎部が発達していた。この結果は、生長ミズゴケが、生活排水の栄養成分を旺盛に同化していることを示している。また、１ヶ月後において再び各試料のサンプリングを行った結果、上記とほぼ同様のＰ処理とＮ処理についての結果が得られた。
【産業上の利用可能性】
【０１７０】
本発明により、特に富栄養化が認められる水を、著しいリンの浄化効果を伴う、ミズゴケを用いた浄化手段が提供された。
【図２】
2005081641.tif 000003
【図３】
2005081641.tif 000004
【図４】
2005081641.tif 000005
【図５】
2005081641.tif 000006
【図６】
2005081641.tif 000007
【図７】
2005081641.tif 000008
【図８】
2005081641.tif 000009
【図９】
2005081641.tif 000010
【図１０】
2005081641.tif 000011
【図１１】
2005081641.tif 000012
【図１２】
2005081641.tif 000013
【図１３】
2005081641.tif 000014
【図１４】
2005081641.tif 000015
【図１５】
2005081641.tif 000016
【図１６】
2005081641.tif 000017
【図１７】
2005081641.tif 000018
【図１８】
2005081641.tif 000019
【図１９】
2005081641.tif 000020
【図２０】
2005081641.tif 000021
【図２１】
2005081641.tif 000022
【図２５】
2005081641.tif 000023
【図１】
2005081641.tif 000024
【図２２】
2005081641.tif 000025
【図２３】
2005081641.tif 000026
【図２４】
2005081641.tif 000027